(57)【要約】【課題】高さ方向のスペースを低減でき、遊技球通過検出精度を向上でき、排出通路を複雑に曲げる必要のない始動入賞装置を具備する遊技機を提供する。【解決手段】始動入賞装置３３は、入球口４００に入球した遊技球を奥方向に案内する奥方向通路４０２と、遊技球を横方向に案内して遊技盤の裏面に沿うように排出する横方向通路４０４と、当該横方向通路４０４を通過する遊技球を検出する通過検出スイッチ４０６とを備えているので、下方向通路を備えずその分だけ縦方向の大きさを小さくでき、奥方向通路４０２よりも後方の横方向通路４０４に通過検出スイッチ４０６を備えているので、通過検出スイッチ４０６の位置を遊技盤の盤面から離すことができ、不正をし難くでき、通過検出スイッチ４０６を横方向通路４０４に備えており、奥方向通路４０２が通過検出スイッチ４０６の厚み分さらに遊技盤の裏面側に突出する問題も生じない。【選択図】図１５
2007167299.tif 000002
【特許請求の範囲】
【請求項１】
遊技球が打ち込まれる遊技領域を有する遊技盤を備えた遊技機において、
前記遊技盤は、その所定箇所に、遊技球が入球可能な始動入賞装置を備え、
前記始動入賞装置は、
前記遊技盤の遊技領域を流下する遊技球が入球可能な入球口と、
その入球口に入球した遊技球を奥方向に案内する奥方向通路と、
前記奥方向通路に連通し、遊技球を横方向に案内して前記遊技盤の裏面に沿うように排出する横方向通路と、
前記横方向通路に設けられ、当該横方向通路を通過する遊技球を検出する遊技球通過検出手段と、
を備えている
ことを特徴とする遊技機。
【発明の詳細な説明】
【技術分野】
【０００１】
この発明は、パチンコ機等の遊技機に関する。
【背景技術】
【０００２】
従来、遊技機の代表例として例えばパチンコ機がある。このパチンコ機は、例えば、遊技球が打ち込まれる遊技盤を備えている。この遊技盤は、遊技球の入球可能な始動入賞装置（いわゆるチャッカー）と、この始動入賞装置への遊技球の入球に基づいて識別情報（図柄）等を表示画面に変動表示するための可変表示装置とを備え、さらに、識別情報の変動表示結果が遊技者にとって有利な表示結果であった場合に遊技球の入球が可能となるように開放される可変入賞装置（いわゆるアタッカー）が、始動入賞装置の下方位置に設けられている。この始動入賞装置としては、例えば、入賞口から入球した遊技球を奥方向（遊技盤の厚み方向）に案内する奥方向通路と、この奥方向通路の終端から下方向（遊技盤の下方向）に案内する下方向通路と、この下方向通路に設けられた、遊技球の通過検出センサとを備えたものがある。また、始動入賞装置として、例えば、入賞口から入球した遊技球を下方向（遊技盤の下方向）に案内する下方向通路と、この下方向通路の終端から奥方向（遊技盤の厚み方向）に案内する奥方向通路と、この下方向通路に設けられた、遊技球の通過検出センサとを備えたものもある（例えば、特許文献１参照）。
【特許文献１】特開平６−３１０３４号公報（第３−４頁，第４図）
【発明の開示】
【発明が解決しようとする課題】
【０００３】
しかしながら、このような構成を有する従来例の場合には、次のような問題がある。
すなわち、従来のパチンコ機では、例えば、前述したように始動入賞装置の下方向通路に通過検出センサを備えているため、始動入賞装置が縦方向に大きくなり、この始動入賞装置の下方位置の可変入賞装置との距離を縮めることができないという問題がある。近年では可変表示装置の大型化が要求されているが、前述の始動入賞装置と可変入賞装置との距離を縮めることができないために、可変表示装置の大型化ができないという問題も生じている。
【０００４】
そこで、かかる問題を解決するために、始動入賞装置の下方向通路に替えて奥方向通路に通過検出センサを備えるようにすること（第一提案の始動入賞装置）が考えられるが、この場合には、通過検出センサの位置が遊技盤面に近いので不正がされ易いという問題が生じる。また、通過検出センサの位置が遊技盤面に近いので、遊技盤面を勢いよく落下してきた遊技球がそのままの勢いで通過検出センサを通過したり、あるいは、がたついて通過検出センサを通過したりする等、遊技球が安定していない状態（落ち着いていない状態）で検出することになる。つまり、遊技球の通過検出漏れや二度検出等のおそれがあり、遊技球通過検出精度が低下するという問題が生じる。
【０００５】
かかる不正容易および検出精度低下の問題を解決するために、前記の第一提案の始動入賞装置において、通過検出センサの位置を奥方向通路の終端の方に備えるようにすることが考えられるが、この場合には、始動入賞装置の奥方向通路が通過検出センサの厚み分さらに遊技盤の裏面側に突出することになるし、始動入賞装置外に遊技球を排出する際に遊技盤の裏面に沿った位置に遊技球を誘導するためには始動入賞装置の排出通路（特に下方向通路）を複雑に曲げなければならないという問題が生じる。
【０００６】
本発明は、このような事情に鑑みてなされたものであって、高さ方向のスペースを低減でき、かつ、遊技球通過検出精度を向上させることができ、さらに、排出通路を複雑に曲げる必要のない始動入賞装置を具備する遊技機を提供することを目的とする。
【課題を解決するための手段】
【０００７】
この発明は、このような目的を達成するために、次のような構成をとる。
すなわち、請求項１に記載の発明は、
遊技球が打ち込まれる遊技領域を有する遊技盤を備えた遊技機において、
前記遊技盤は、その所定箇所に、遊技球が入球可能な始動入賞装置を備え、
前記始動入賞装置は、
前記遊技盤の遊技領域を流下する遊技球が入球可能な入球口と、
その入球口に入球した遊技球を奥方向に案内する奥方向通路と、
前記奥方向通路に連通し、遊技球を横方向に案内して前記遊技盤の裏面に沿うように排出する横方向通路と、
前記横方向通路に設けられ、当該横方向通路を通過する遊技球を検出する遊技球通過検出手段と、
を備えている
ことを特徴とするものである。
【０００８】
［作用・効果］請求項１に記載の発明によれば、遊技球が打ち込まれる遊技領域を有する遊技盤は、その所定箇所に、遊技球が入球可能な始動入賞装置を備えている。遊技盤の遊技領域を流下する遊技球は、始動入賞装置の入球口に入球することがある。この始動入賞装置の入球口に入球した遊技球は、奥方向通路を通って奥方向に案内され、さらに、横方向通路を通って横方向に案内されて遊技盤の裏面に沿うように排出される。また、この横方向通路を通過する遊技球は、遊技球通過検出手段により通過検出される。
【０００９】
したがって、始動入賞装置は、横方向通路に遊技球通過検出手段を備えており、従来のような下方向通路に遊技球通過検出手段を設けることはしないので、従来のような下方向通路に遊技球通過検出手段を設けることによる縦方向の大きさが大きくなるという問題も生じない。したがって、始動入賞装置の下方位置の可変入賞装置との距離を縮めることができ、可変表示装置の大型化の要請にも対応できる。
【００１０】
さらに、奥方向通路よりも後方の横方向通路に遊技球通過検出手段を備えているので、遊技球通過検出手段を奥方向通路に備える従来例と比べて、遊技球通過検出手段の位置を遊技盤面から離すことができ、不正をし難くできる。また、始動入賞装置の入球口に入球した遊技球は、奥方向通路を通過した後に横方向通路に案内され、この横方向通路で遊技球通過検出手段による通過検出されるので、遊技球通過検出手段の位置を遊技盤面から離すことができ、遊技盤面を勢いよく落下してきた遊技球がそのままの勢いで遊技球通過検出手段を通過したり、あるいは、がたついて遊技球通過検出手段を通過したりする等を低減でき、遊技球が安定している状態（落ち着いた状態）で検出することができる。つまり、遊技球の通過検出漏れや二度検出等のおそれを低減でき、遊技球通過検出精度を向上させることができる。
【００１１】
また、始動入賞装置は、遊技球通過検出手段を横方向通路に備えており、従来のように奥方向通路の終端の方に備える訳ではないので、始動入賞装置の奥方向通路が遊技球通過検出手段の厚み分さらに遊技盤の裏面側に突出するという従来の問題も生じないし、横方向通路は遊技盤の裏面に沿うように遊技球を排出するので、始動入賞装置の排出通路（奥方向通路と横方向通路とからなる通路）を複雑に曲げる必要がないし、始動入賞装置外に遊技球を排出する際に遊技盤の裏面に沿った位置に遊技球を誘導することができる。つまり、従来のような「始動入賞装置外に遊技球を排出する際に遊技盤の裏面に沿った位置に遊技球を誘導するためには始動入賞装置の排出通路（特に下方向通路）を複雑に曲げなければならない」という問題も生じない。
【００１２】
その結果、高さ方向のスペースを低減でき、かつ、遊技球通過検出精度を向上させることができ、さらに、排出通路を複雑に曲げる必要のない始動入賞装置を具備する遊技機を提供することができる。
【００１３】
なお、本明細書で言う始動入賞装置についての「奥方向」、「横方向」および「縦方向」とは、始動入賞装置をその正面側から見た場合を基準として特定される方向であるが、始動入賞装置が遊技盤に正規に取り付けられた状態を正面視した場合を基準として特定される方向であるとも言える。つまり、始動入賞装置が遊技盤に正規に取り付けられた状態を正面視した場合において、始動入賞装置についての「奥方向」とは遊技盤の厚み方向に一致または略一致する方向と言え、始動入賞装置についての「横方向」とは遊技盤の横幅方向に一致または略一致する方向と言え、始動入賞装置についての「縦方向」とは遊技盤の縦方向に一致または略一致する方向と言える。
【００１４】
なお、本明細書は、次のような遊技機に係る発明も開示している。
【００１５】
（１）  請求項１に記載の遊技機において、
前記始動入賞装置は、前記奥方向通路と前記横方向通路との継ぎ目箇所に、前記奥方向通路から前記横方向通路に下る段差部を備えている
ことを特徴とする遊技機。
【００１６】
前記（１）に記載の発明によれば、始動入賞装置は、奥方向通路と横方向通路との継ぎ目箇所に、奥方向通路から横方向通路に下る段差部を備えている。したがって、奥方向通路を通った遊技球は、この段差部で一旦スピードを落とし、横方向通路でその進路が横方向に曲げられることによってもスピードが落とされて遊技球通過検出手段で検出されるので、遊技盤面を勢いよく落下してきた遊技球がそのままの勢いで遊技球通過検出手段を通過することを低減でき、球流れを安定させることができる。
【００１７】
（２）  請求項１に記載の遊技機、または、前記（１）に記載の遊技機において、
前記奥方向通路は、その終端が前記遊技盤の裏面と一致またはほぼ一致し、
前記横方向通路は、その入力口が前記奥方向通路の終端に連通されて、前記入力口に入球された遊技球の進路方向を前記遊技盤の裏面と平行または略平行となるように曲げる曲げ通路と、前記曲げ通路の出力側に前記遊技球通過検出手段を取り付ける取付部とからなるものである
ことを特徴とする遊技機。
【００１８】
前記（２）に記載の発明によれば、始動入賞装置の奥方向通路は、その終端が遊技盤の裏面と一致またはほぼ一致している。また、始動入賞装置の横方向通路は、その入力口が奥方向通路の終端に連通されて、入力口に入球された遊技球の進路方向を遊技盤の裏面と平行または略平行となるように曲げる曲げ通路と、この曲げ通路の出力側に遊技球通過検出手段を取り付ける取付部とからなるものである。つまり、始動入賞装置の入球口に入球した遊技球は、奥方向通路を通ることで遊技盤の裏面側位置まで案内され、そして曲げ通路によりその遊技球の進路が遊技盤の裏面と平行または略平行となるように曲げられ、曲げ部の出力側で遊技球通過検出手段で遊技球の通過検出がされて遊技盤の裏面に沿うように排出される。したがって、始動入賞装置に入球した遊技球を最短距離で遊技盤の裏面に沿うように排出できるのみならず、奥方向通路の終端に比較的に近い位置で遊技球通過検出しているにもかかわらず通過検出精度を向上させることができる。つまり、曲げ通路での遊技球の進路を曲げ変更することで遊技球のスピードを落とすことができ、通過検出精度を向上させることができる。
【００１９】
（３）  前記（２）に記載の遊技機において、
前記奥方向通路は、その通路幅を遊技球の直径よりも僅かに大きいものとすることで、遊技球が一列に進むような通路形状としており、
前記曲げ通路は、その曲げ方向に向く側面から当該曲げ通路の奥面にわたって、平面視で逆円弧状に突出した逆円弧状突出部を備えている
ことを特徴とする遊技機。
【００２０】
前記（３）に記載の発明によれば、奥方向通路は、その通路幅を遊技球の直径よりも僅かに大きいものとしており、遊技球が一列に進むような通路形状となっている。曲げ通路は、その曲げ方向に向く側面から当該曲げ通路の奥面にわたって、平面視で逆円弧状に突出した逆円弧状突出部を備えており、奥方向通路を通ってきた遊技球が曲げ通路の逆円弧状突出部のその逆円弧形状に接触しながら曲げ方向に変更でき、遊技球はこの逆円弧状突出部に摺接しながら進路変更されることから、スムーズに進路変更できる。なお、本明細書でいう「逆円弧状」とは、円弧の中心点に近い側が空間を切るラインとなっている凹形状を意味する。
【００２１】
（４）  請求項１に記載の遊技機、または、前記（１）から（３）のいずれか一つに記載の遊技機において、
前記始動入賞装置は、前記入球口の大きさが第１の大きさとなる第１状態と、前記入球口の大きさが第１の大きさよりも大きい第２の大きさとなる第２状態とに変動する開閉羽根と、当該始動入賞装置の裏面側に設けられた、前記開閉羽根を開閉駆動する駆動装置と、を備え、
さらに、前記始動入賞装置は、その裏面視した状態において、前記遊技球通過検出手段が前記駆動装置および前記奥方向通路から横方向にずれた位置で、かつ、前記遊技球通過検出手段の一部が前記駆動装置の一部に高さ方向に被る位置に配設されている
ことを特徴とする遊技機。
【００２２】
前記（４）に記載の発明によれば、始動入賞装置は、開閉羽根と駆動装置とを備えている。駆動装置は、始動入賞装置の裏面側に設けられており、開閉羽根を開閉駆動する。つまり、開閉羽根を、入球口の大きさが第１の大きさとなる第１状態と、これよりも大きい第２の大きさとなる第２状態とに変動する。始動入賞装置を裏面視した状態において、遊技球通過検出手段が駆動装置および奥方向通路から横方向にずれた位置で、かつ、当該遊技球通過検出手段の一部が駆動装置の一部に高さ方向に被る位置に配設されている。したがって、開閉羽根付きの始動入賞装置における裏面側構成部分の高さを抑えることができる。
【００２３】
（５）  前記（２）または（３）に記載の遊技機において、
前記始動入賞装置は、前記入球口の大きさが第１の大きさとなる第１状態と、前記入球口の大きさが第１の大きさよりも大きい第２の大きさとなる第２状態とに変動する開閉羽根と、当該始動入賞装置の裏面側に設けられた、前記開閉羽根を開閉駆動する駆動装置と、を備え、
さらに、前記始動入賞装置は、その裏面視した状態において、前記取付部が前記駆動装置および前記奥方向通路から横方向にずれた位置で、かつ、前記取付部の一部が前記駆動装置の一部に高さ方向に被る位置に配設されている
ことを特徴とする遊技機。
【００２４】
前記（５）に記載の発明によれば、始動入賞装置は、開閉羽根と駆動装置とを備えている。駆動装置は、始動入賞装置の裏面側に設けられており、開閉羽根を開閉駆動する。つまり、開閉羽根を、入球口の大きさが第１の大きさとなる第１状態と、これよりも大きい第２の大きさとなる第２状態とに変動する。始動入賞装置を裏面視した状態において、取付部が駆動装置および奥方向通路から横方向にずれた位置で、かつ、当該取付部の一部が駆動装置の一部に高さ方向に被る位置に配設されている。したがって、開閉羽根付きの始動入賞装置における裏面側構成部分の高さを抑えることができる。
【００２５】
（６）  請求項１に記載の遊技機、または、前記（１）から（５）のいずれか一つに記載の遊技機において、
前記始動入賞装置は、さらに、前記入球口の上方位置に当該入球口とは別の上部入球口と、前記上部入球口に入球した遊技球を奥方向に案内する、前記奥方向通路とは別の上部奥方向通路と、前記上部奥方向通路に連通し、前記横方向通路とは反対の横方向に遊技球を案内して前記遊技盤の裏面に沿うように排出する上部横方向通路と、
を備えている
ことを特徴とする遊技機。
【００２６】
前記（６）に記載の発明によれば、始動入賞装置は、入球口の上方位置に設けられたそれとは別の上部入球口に入球した遊技球を、奥方向通路とは別の上部奥方向通路を通して奥方向に案内し、この上部奥方向通路からの遊技球を、上部横方向通路を通して、横方向通路とは反対の横方向に案内して遊技盤の裏面に沿うように排出する。したがって、始動入賞装置の各排出通路（奥方向通路と横方向通路とからなる第１排出通路と、上部奥方向通路と上部横方向通路とからなる第２排出通路）を複雑に折り曲げて構成する必要がなく、独立した二系統の入賞構成をコンパクトに纏めた構成とすることができる。
【００２７】
また、始動入賞装置は、その二系統の入賞構成のうちの上部の排出通路を上部奥方向通路と上部横方向通路とで構成しており、下方向通路を備えていないので、その下方向通路を用いない分だけ縦方向の大きさを小さくできる。
【００２８】
（７）  前記（６）に記載の遊技機において、
さらに、前記遊技盤は、その裏面側に、当該遊技盤の裏面側に供給された遊技球を集めて排出する溝状の排出樋が形成された集合板を備え、
前記排出樋は、前記始動入賞装置の前記横方向通路から排出される遊技球を受ける第１溝通路と、前記始動入賞装置の前記上部横方向通路から排出される遊技球を受ける第２溝通路とを備えている
ことを特徴とする遊技機。
【００２９】
前記（７）に記載の発明によれば、遊技盤の裏面側に設けられた集合板は、当該遊技盤の裏面側に供給された遊技球を集めて排出する溝状の排出樋が形成されたものとしている。排出樋の第１溝通路は、始動入賞装置の横方向通路から排出される遊技球を受け、排出樋の第２溝通路は、始動入賞装置の上部横方向通路から排出される遊技球を受け、これらの遊技球が集められて集合板から排出される。したがって、集合板の遊技盤と対向する側、つまり、集合板の片側に、溝状の排出樋（溝状の第１溝通路や溝状の第２溝通路を含む）を形成しておけばよく、集合板の成型が簡単なもので済む。
【００３０】
（８）  前記（６）または（７）に記載の遊技機において、
前記集合板は、前記上部横方向通路の排出口に対応する箇所に、前記上部横方向通路を通過してきた遊技球の通過を検出する第２遊技球通過検出手段を備えている
ことを特徴とするものである。
【００３１】
前記（８）に記載の発明によれば、第２遊技球通過検出手段は、集合板における、上部横方向通路の排出口に対応する箇所に、上部横方向通路を通過してきた遊技球の通過を検出する。したがって、始動入賞装置は、その二系統の入賞構成のうちの上部の排出通路を上部奥方向通路と上部横方向通路とで構成しており、下方向通路を備えていないので、その下方向通路を用いない分だけ縦方向の大きさを小さくできる。また、集合板は、始動入賞装置の横方向通路の排出口に対応する箇所に第２遊技球通過検出手段を備えており、下方向通路に遊技球通過検出手段を設けることはしないので、下方向通路に遊技球通過検出手段を設けることによる縦方向の大きさが大きくなるという問題も生じない。したがって、始動入賞装置の二系統の排出通路（奥方向通路と横方向通路とからなる第１排出通路と、上部奥方向通路と上部横方向通路とからなる第２排出通路）の距離を縮めることができ、二系統の入賞構成を有する始動入賞装置を具備する遊技盤であっても、可変表示装置の大型化の要請にも対応できる。
【００３２】
さらに、上部奥方向通路よりも後方の上部横方向通路の排出口に対応する集合板の箇所に第２遊技球通過検出手段を備えているので、第２遊技球通過検出手段を奥方向通路に備える場合と比べて、第２遊技球通過検出手段の位置を遊技盤面から離すことができ、不正をし難くできる。また、始動入賞装置の上部入球口に入球した遊技球は、上部奥方向通路を通過した後に上部横方向通路に案内され、この上部横方向通路の排出口から出た直後の位置（排出口に対応する集合板の箇所）で第２遊技球通過検出手段による通過検出されるので、第２遊技球通過検出手段の位置を遊技盤面から離すことができ、遊技盤面を勢いよく落下してきた遊技球がそのままの勢いで第２遊技球通過検出手段を通過したり、あるいは、がたついて第２遊技球通過検出手段を通過したりする等を低減でき、遊技球が安定している状態（落ち着いた状態）で検出することができる。つまり、遊技球の通過検出漏れや二度検出等のおそれを低減でき、遊技球通過検出精度を向上させることができる。
【００３３】
また、始動入賞装置は、上部横方向通路の排出口に対応する集合板の箇所に遊技球通過検出手段を備えており、従来のように奥方向通路の終端の方に備える訳ではないので、始動入賞装置の上部奥方向通路が第２遊技球通過検出手段の厚み分さらに遊技盤の裏面側に突出するという従来の問題も生じないし、上部横方向通路は遊技盤の裏面に沿うように遊技球を排出するので、始動入賞装置の上部の排出通路（上部奥方向通路と上部横方向通路とからなる通路）を複雑に曲げる必要がないし、始動入賞装置外に遊技球を排出する際に遊技盤の裏面に沿った位置に遊技球を誘導することができる。
【００３４】
その結果、高さ方向のスペースを低減でき、かつ、遊技球通過検出精度を向上させることができ、さらに、排出通路を複雑に曲げる必要のない、二系統の入賞構成を有する始動入賞装置を具備する遊技機を提供することができる。
【００３５】
（９）  前記（６）から（８）のいずれか一つに記載の遊技機において、
前記始動入賞装置は、前記入球口の大きさが第１の大きさとなる第１状態と、前記入球口の大きさが第１の大きさよりも大きい第２の大きさとなる第２状態とに変動する開閉羽根と、当該始動入賞装置の裏面側に設けられた、前記開閉羽根を開閉駆動する駆動装置と、を備え、
前記始動入賞装置は、当該始動入賞装置を裏面視した状態での縦線上に、前記上部奥方向通路と前記駆動装置と前記奥方向通路とを並べて配設したものであり、
さらに、前記始動入賞装置は、その裏面視した状態において、前記遊技球通過検出手段が前記駆動装置および前記奥方向通路から横方向にずれた位置で、かつ、前記遊技球通過検出手段の一部が前記駆動装置の一部に高さ方向に被る位置に配設されている
ことを特徴とする遊技機。
【００３６】
前記（９）に記載の発明によれば、始動入賞装置は、開閉羽根と駆動装置とを備えている。駆動装置は、始動入賞装置の裏面側に設けられており、開閉羽根を開閉駆動する。つまり、開閉羽根を、入球口の大きさが第１の大きさとなる第１状態と、これよりも大きい第２の大きさとなる第２状態とに変動する。上部奥方向通路と駆動装置と奥方向通路とは、始動入賞装置を裏面視した状態での縦線上に並べて配設されている。始動入賞装置を裏面視した状態において、遊技球通過検出手段が駆動装置および奥方向通路から横方向にずれた位置で、かつ、当該遊技球通過検出手段の一部が駆動装置の一部に高さ方向に被る位置に配設されている。したがって、開閉羽根付きでかつ二系統の入賞構成を有する始動入賞装置における裏面側構成部分の高さを抑えることができる。
【００３７】
なお、上記（９）の「前記始動入賞装置は、その裏面視した状態において、前記遊技球通過検出手段が前記駆動装置および前記奥方向通路から横方向にずれた位置で、かつ、前記遊技球通過検出手段の一部が前記駆動装置の一部に高さ方向に被る位置に配設されている」の内容に替えて、「前記始動入賞装置は、その裏面視した状態において、前記取付部が前記駆動装置および前記奥方向通路から横方向にずれた位置で、かつ、前記取付部の一部が前記駆動装置の一部に高さ方向に被る位置に配設されている」としてもよい。
【００３８】
（１０）  前記（６）から（９）のいずれか一つに記載の遊技機において、
前記上部奥方向通路は、その終端が前記遊技盤の裏面と一致またはほぼ一致し、
前記上部横方向通路は、その入力口が前記上部奥方向通路の終端に連通されて、前記入力口に入球された遊技球の進路方向を前記遊技盤の裏面と平行または略平行となるように曲げ、かつ、前記曲げ通路とは反対方向に排出する上部曲げ通路としている
ことを特徴とする遊技機。
【００３９】
前記（１０）に記載の発明によれば、始動入賞装置の上部奥方向通路は、その終端が遊技盤の裏面と一致またはほぼ一致している。また、始動入賞装置の上部横方向通路は、その入力口が上部奥方向通路の終端に連通されて、入力口に入球された遊技球の進路方向を遊技盤の裏面と平行または略平行となるように曲げ、かつ、下部の曲げ通路とは反対方向に排出する上部曲げ通路としている。つまり、始動入賞装置の上部入球口に入球した遊技球は、上部奥方向通路を通ることで遊技盤の裏面側位置まで案内され、そして上部曲げ通路によりその遊技球の進路が遊技盤の裏面と平行または略平行となるように曲げ、かつ、下部の曲げ通路とは反対方向に排出する。したがって、始動入賞装置に入球した遊技球を最短距離で遊技盤の裏面に沿うように排出できる。
【００４０】
また、集合板における、上部横方向通路（つまり第２曲げ通路）の排出口に対応する箇所に第２遊技球通過検出手段を設ける場合、つまり、上部奥方向通路の終端に比較的に近い位置で遊技球通過検出しているにもかかわらず通過検出精度を向上させることができる。つまり、第２曲げ通路での遊技球の進路を曲げ変更することで遊技球のスピードを落とすことができ、通過検出精度を向上させることができる。
【００４１】
（１１）  前記（１０）に記載の遊技機において、
前記上部奥方向通路は、その通路幅を遊技球の直径よりも僅かに大きいものとすることで、遊技球が一列に進むような通路形状としており、
前記上部曲げ通路は、その曲げ方向に向く側面に、当該曲げ方向に遊技球の進路変更するための突出部を備えている
ことを特徴とする遊技機。
【００４２】
前記（１１）に記載の発明によれば、上部奥方向通路は、その通路幅を遊技球の直径よりも僅かに大きいものとしており、遊技球が一列に進むような通路形状となっている。上部曲げ通路は、その曲げ方向に向く側面に、当該曲げ方向に遊技球の進路変更するための突出部を備えており、上部奥方向通路を通ってきた遊技球が上部曲げ通路の突出部に接触したり、当たったりすることで、遊技球の進路方向を上部曲げ通路の曲げ方向に変更できる。
【００４３】
（１２）  前記（１１）に記載の遊技機において、
前記突出部は、前記上部奥方向通路の通路方向から見た状態において、その突出先端と前記突出部から遠い方の前記上部奥方向通路の側面との距離が遊技球の直径よりも僅かに小さくなるように突出させたものである
ことを特徴とする遊技機。
【００４４】
前記（１２）に記載の発明によれば、上部奥方向通路の通路方向から見た状態において、突出部の突出先端と、この突出部から遠い方の上部奥方向通路の側面との距離が遊技球の直径よりも僅かに小さくなるように、当該突出部を突出させたものとしているので、上部奥方向通路を進んできた遊技球の殆どは突出部に接触等させることができ、当該接触等により遊技球の進路方向を曲げ方向に変更することができる。また、突出部の僅かの突出量で遊技球の進路を変更できる。
【００４５】
（１３）  前記（１０）から（１２）のいずれか一つに記載の遊技機において、
前記上部曲げ通路は、その流下方向に下る段差部を備えている
ことを特徴とする遊技機。
【００４６】
前記（１３）に記載の発明によれば、上部曲げ通路は、その流下方向に下る段差部を備えている。したがって、上部奥方向通路を通った遊技球は、上部曲げ通路で進路方向が曲げられるのみならず、この上部曲げ通路の段差部で一旦スピードを落とし、上部曲げ通路でその進路が横方向に曲げられることによってもスピードが落とされて、集合板における上部曲げ通路の排出口に対応する箇所に配設された第２遊技球通過検出手段で検出されるので、遊技盤面を勢いよく落下してきた遊技球がそのままの勢いで第２遊技球通過検出手段を通過することを低減でき、球流れを安定させることができる。
【００４７】
（１４）  請求項１に記載の遊技機、または、前記（１）から（１３）のいずれか一つに記載の遊技機において、
前記遊技盤は、識別情報を変動表示する表示手段を有する可変表示装置と、識別情報の変動表示結果が遊技者にとって有利な結果であった場合に遊技球が入球可能に開放される可変入賞装置とを同一縦軸線上に備え、
前記可変表示装置は、遊技球が入球する入球口と、この入球口に入球した遊技球が転動し遊技領域に排出するステージとが形成された、前記表示手段の表示画面の周囲を覆う装飾枠体を備え、
前記始動入賞装置は、前記可変表示装置と前記可変入賞装置との間に配設されている
ことを特徴とする遊技機。
【００４８】
前記（１４）に記載の発明によれば、遊技盤の同一縦軸線上には、識別情報を変動表示する表示手段を有する可変表示装置と、識別情報の変動表示結果が遊技者にとって有利な結果であった場合に遊技球が入球可能に開放される可変入賞装置とが備えられている。可変表示装置は、遊技球が入球する入球口と、この入球口に入球した遊技球が転動し遊技領域に排出するステージとが形成された、表示手段の表示画面の周囲を覆う装飾枠体を備えている。始動入賞装置は、可変表示装置と可変入賞装置との間に配設されている。したがって、可変表示装置と可変入賞装置との間に、高さ方向のスペースを低減した始動入賞装置が配置されているので、可変表示装置と可変入賞装置との距離を縮めることができる。
【００４９】
（１５）  請求項１に記載の遊技機、または、前記（１）から（１４）のいずれか一つに記載の遊技機において、
前記遊技機はパチンコ機であることを特徴とする遊技機。
【００５０】
前記（１５）に記載の遊技機によれば、高さ方向のスペースを低減でき、かつ、遊技球通過検出精度を向上させることができ、さらに、排出通路を複雑に曲げる必要のない始動入賞装置を具備するパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００５１】
（１６）請求項１に記載の遊技機、または、前記（１）から（１４）のいずれか一つに記載の遊技機において、
前記遊技機はパチンコ機とスロットマシンとを融合させたものであることを特徴とする遊技機。
【００５２】
前記（１６）に記載の遊技機によれば、高さ方向のスペースを低減でき、かつ、遊技球通過検出精度を向上させることができ、さらに、排出通路を複雑に曲げる必要のない始動入賞装置を具備する、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、所定の入賞手段への遊技球の入賞などに起因して始動用操作手段（例えば操作レバー）の操作が可能な状態となり、この始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」が挙げられる。
【発明の効果】
【００５３】
この発明に係る遊技機によれば、始動入賞装置は、その排出通路を奥方向通路と横方向通路とで構成しており、横方向通路に遊技球通過検出手段を備えているので、従来のような下方向通路に遊技球通過検出手段を設けることによる縦方向の大きさが大きくなるという問題が生じない。したがって、始動入賞装置の下方位置の可変入賞装置との距離を縮めることができ、可変表示装置の大型化の要請にも対応できる。さらに、奥方向通路よりも後方の横方向通路に遊技球通過検出手段を備えているので、遊技球通過検出手段を奥方向通路に備える従来例と比べて、遊技球通過検出手段の位置を遊技盤面から離すことができ、不正をし難くできる。また、始動入賞装置の入球口に入球した遊技球は、奥方向通路を通過した後に横方向通路に案内され、この横方向通路で遊技球通過検出手段による通過検出されるので、遊技球通過検出手段の位置を遊技盤面から離すことができ、遊技盤面を勢いよく落下してきた遊技球がそのままの勢いで遊技球通過検出手段を通過したり、あるいは、がたついて遊技球通過検出手段を通過したりする等を低減でき、遊技球が安定している状態（落ち着いた状態）で検出することができる。つまり、遊技球の通過検出漏れや二度検出等のおそれを低減でき、遊技球通過検出精度を向上させることができる。また、始動入賞装置は、遊技球通過検出手段を横方向通路に備えており、従来のように奥方向通路の終端の方に備える訳ではないので、始動入賞装置の奥方向通路が遊技球通過検出手段の厚み分さらに遊技盤の裏面側に突出するという従来の問題も生じないし、横方向通路は遊技盤の裏面に沿うように遊技球を排出するので、始動入賞装置の排出通路（奥方向通路と横方向通路とからなる通路）を複雑に曲げる必要がないし、始動入賞装置外に遊技球を排出する際に遊技盤の裏面に沿った位置に遊技球を誘導することができる。つまり、従来のような「始動入賞装置外に遊技球を排出する際に遊技盤の裏面に沿った位置に遊技球を誘導するためには始動入賞装置の排出通路（特に下方向通路）を複雑に曲げなければならない」という問題も生じない。その結果、高さ方向のスペースを低減でき、かつ、遊技球通過検出精度を向上させることができ、さらに、排出通路を複雑に曲げる必要のない始動入賞装置を具備する遊技機を提供することができる。
【発明を実施するための最良の形態】
【００５４】
以下、パチンコ遊技機（以下、単に「パチンコ機」という）の各種の実施の形態を、図面に基づいて詳細に説明する。図１はパチンコ機１０の正面図であり、図２は、パチンコ機１０の遊技盤３０の正面図であり、図３は、パチンコ機１０の裏面図である。図４は、パチンコ機１０の電気的構成を示すブロック図である。図５は、第３図柄表示装置４２の表示内容を示す説明図である。
【００５５】
図１に示すように、パチンコ機１０は、当該パチンコ機１０の外殻を形成し遊技場（ホール）の遊技島に固定される外枠１１と、この外枠１１の一側部（例えば正面視での左側部）を開閉軸として外枠１１に対して開閉可能に支持された内枠１２と、この内枠１２の一側部（例えば正面視での左側部）を開閉軸として内枠１２に対して開閉自在に取り付けられる前面枠セット１４とを備えている。
【００５６】
外枠１１は、木製の板材により全体として正面視で矩形状に構成され、小ネジ等の離脱可能な締結具により各板材が組み付けられている。本実施の形態では、例えば、外枠１１の上下方向の外寸は８０９ｍｍ（内寸７７１ｍｍ）、左右方向の外寸は５１８ｍｍ（内寸４８０ｍｍ）となっている。なお、外枠１１は樹脂やアルミニウム等の軽金属などにより構成されていてもよい。
【００５７】
図１に示すように、内枠１２は、大別すると、その最下部に取り付けられた下皿ユニット１３と、この下皿ユニット１３よりも上側の範囲で内枠１２の左側の上下方向の開閉軸を軸心にして開閉自在に取り付けられた前面枠セット１４と、外形が矩形状の樹脂ベース（図示省略）に着脱自在に取り付けられる遊技盤３０（図２参照）とを備えている。
【００５８】
図１に示すように、下皿ユニット１３は、内枠１２に対してネジ等の締結具により固定されている。この下皿ユニット１３の前面側には、下皿１５と球抜きレバー１７と遊技球発射ハンドル１８と音出力口２４が設けられている。球受皿としての下皿１５は、下皿ユニット１３のほぼ中央部に設けられており、排出口１６より排出された遊技球が下皿１５内に貯留可能になっている。球抜きレバー１７は、下皿１５内の遊技球を抜くためのものであり、この球抜きレバー１７を図１で左側に移動させることにより、下皿１５の底面の所定箇所が開口され、下皿１５内に貯留された遊技球を下皿１５の底面の開口部分を通して下方向外部に抜くことができる。遊技球発射ハンドル１８は、下皿１５よりも右方で手前側に突出して配設されている。遊技者による遊技球発射ハンドル１８の操作に応じて、遊技球発射装置３８によって遊技球が後述する遊技盤３０の方へ打ち込まれるようになっている。遊技球発射装置３８は、例えば、遊技球発射ハンドル１８と発射装置２２９（図４参照）などで構成されている。音出力口２４は、下皿ユニット１３内あるいは背面に設けられたスピーカからの音を出力するための出力口である。
【００５９】
また、前面枠セット１４は、図１に示すように、内枠１２に対して開閉可能に取り付けられており、内枠１２と同様、パチンコ機１０の正面からみて左側に上下に延びる開閉軸を軸心にして前方側に開放できるようになっている。
【００６０】
図１に示すように、前面枠セット１４の下部（上述の下皿１５の上方位置）には、遊技球の受皿としての上皿１９が一体的に設けられている。ここで、上皿１９は、遊技球を一旦貯留し、一列に整列させながら遊技球発射装置３８の方へ導出するための球受皿である。また、前面枠セット１４には、遊技盤３０の遊技領域３０ａ（図２参照）のほとんどを外部から視認することができるよう略楕円形状の窓部１０１が形成されている。詳しくは、窓部１０１は、その左右側の略中央部が、上下側に比べて比較的緩やかに湾曲した形状となっている略楕円形状で中央が空洞とした枠体であり、その枠体の空洞部分に略楕円形状のガラス板１３７が取り付けられたものである。このガラス板１３７は二重ガラス構造としている。なお、窓部１０１の前記略中央部が直線状になるようにし、ガラス板１３７もその形状に合わせるようにしてもよい。また、ガラス板１３７は、ガラスに限定されず、所定の強度がある透明板であればその材質などは問わない。
【００６１】
また、前面枠セット１４は、図１に示すように、上皿１９の左下側の箇所に、遊技者による操作指示（例えば、押下指示）を受ける枠ボタン２０（演出ボタン）を備えている。図４に示すように、枠ボタン２０はサブ制御装置２６２に接続されている。例えば、所定の操作有効条件成立時には、当該枠ボタン２０の操作が有効となり、枠ボタン２０を押下するなどにより、第３図柄表示装置４２の画面表示が変化したり、出力音を変更したり、ランプ表示を変更したりするなど、遊技者が遊技に積極的に参加できるようになっている。
【００６２】
加えて、前面枠セット１４は、その前面側で窓部１０１の周囲（例えばコーナー部分）に各種ランプ等の発光手段が設けられている。これら発光手段は、大当たり時や所定のリーチ時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、該環状電飾部１０２の中央であってパチンコ機１０の最上部には、同じくＬＥＤ等の発光手段を内蔵した中央電飾部１０３が設けられている。本パチンコ機１０では、中央電飾部１０３が大当たりランプとして機能し、大当たり時に点灯や点滅を行うことにより、大当たり中であることを報知する。その他、中央電飾部１０３の左右側方には、賞球払出し中に点灯する賞球ランプ１０５と所定のエラー時に点灯するエラー表示ランプ１０６とが設けられている。また、環状電飾部１０２の下端部に隣接するようにして、内枠１２表面や遊技盤３０表面等の一部を視認できるよう透明樹脂からなる小窓１０７が設けられている。この小窓１０７の所定箇所を平面状としているので、遊技盤３０の右下隅部に貼り付けられた証紙などを、小窓１０７の当該平面状箇所から機械で好適に読み取ることができる。
【００６３】
また、窓部１０１の下方には貸球操作部１２０が配設されており、貸球操作部１２０には球貸しボタン１２１と、返却ボタン１２２と、度数表示部１２３とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタン１２１は、カード等（記録媒体）に記録された情報に基づいて貸出球を得るために操作されるものであり、カード等に残額が存在する限りにおいて貸出球が上皿１９に供給される。返却ボタン１２２は、カードユニットに挿入されたカード等の返却を求める際に操作される。度数表示部１２３はカード等の残額情報を表示するものである。なお、カードユニットを介さずに球貸し装置等から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００６４】
遊技盤３０は、図２に示すように、四角形状の合板よりなり、その周縁部が内枠１２の樹脂ベース（図示省略）の裏側に当接した状態で取着されており、この遊技盤３０の前面側の略中央部分たる遊技領域３０ａが樹脂ベースの略円形状の図１に示した窓部１０１（ガラス板１３７）を通じて内枠１２の前面側に露出した状態となっている。
【００６５】
次に、図２を用いて遊技盤３０の構成を説明する。遊技盤３０は、一般入賞口３１、可変入賞装置３２、第１の始動口３３ａ，３３ｂ（例えば作動チャッカ）、第２の始動口３４（例えばスルーゲート）、可変表示装置ユニット３５等を備えている。これらの一般入賞口３１、可変入賞装置３２、第１の始動口３３ａ，３３ｂ（例えば作動チャッカ）、第２の始動口３４（例えばスルーゲート）、可変表示装置ユニット３５等は、遊技盤３０における、ルータ加工によって形成された各貫通穴にそれぞれに配設され、遊技盤３０前面側から木ネジ等により取り付けられている。前述の一般入賞口３１、可変入賞装置３２および第１の始動口３３ａ，３３ｂに遊技球が入球し、当該入球が後述する検出スイッチ（入賞口スイッチ、カウントスイッチ、作動口スイッチ）で検出され、この検出スイッチの出力に基づいて、上皿１９（または下皿１５）へ所定数の賞品球が払い出される。なお、前述したように、上部側の第１の始動口３３ａには作動口スイッチ（通過検出スイッチ４５２）が設けられ、この第１の始動口３３ａへの入球をその作動口スイッチにより検出されるようになっている。また、下部側の第１の始動口３３ｂにも作動口スイッチ（通過検出スイッチ４０６）が設けられ、この第１の始動口３３ｂへの入球をその作動口スイッチ４０６により検出されるようになっている。すなわち、上部側の第１の始動口３３ａへの遊技球の入球または下部側の第１の始動口３３ｂへの遊技球の入球のどちらの場合にも、それが始動入賞であることに変わりは無い。なお、上部側の第１の始動口３３ａと下部側の第１の始動口３３ｂとは、図６等を用いて後述するように、単一の始動入賞装置３３で構成されている。
【００６６】
その他に、図２に示すように、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、風車３７等の各種部材（役物）が配設されている。
【００６７】
可変表示装置ユニット３５は、第１の始動口３３ａ，３３ｂへの入賞をトリガとして、識別情報としての第１図柄（例えば特別図柄）を変動表示する第１図柄表示装置４０と、第２の始動口３４の通過をトリガとして、第２図柄（例えば普通図柄）を変動表示する第２図柄表示装置４１と、第１の始動口３３ａ，３３ｂへの入賞をトリガとして、第３図柄（例えば装飾図柄）を変動表示する第３図柄表示装置４２とを備えている。
【００６８】
第１図柄表示装置４０は、例えば、複数個（本実施例では２個）の２色発光タイプのＬＥＤ（発光ダイオード）４０ａ，４０ｂと、このＬＥＤ４０ａ，４０ｂでの変動表示の保留数を示す保留ランプ４０ｃとを備えている。このＬＥＤ４０ａ，４０ｂは、例えば、赤色と青色に発光可能なものである。第１図柄表示装置４０は、各ＬＥＤ４０ａ，４０ｂの発光色を交互に変更させることで、第１図柄（本実施例では各ＬＥＤ４０ａ，４０ｂの発光色態様）の変動表示状態を発生させ、例えば、両方のＬＥＤ４０ａ，４０ｂが赤色発光状態で停止すると確変大当り（特定当り）を示し、両方のＬＥＤ４０ａ，４０ｂが青色発光状態で停止すると通常大当り（非特定当り）を示し、両方のＬＥＤ４０ａ，４０ｂが互いに異なる色の発光状態で停止すると外れを示す。
【００６９】
なお、この第１図柄表示装置４０として、少なくとも３色以上の発光が可能なタイプの単一のＬＥＤを採用してもよく、各色の発光を交互などに行うようにすることで、第１図柄の変動表示状態を発生させ、ＬＥＤが第１の色の発光状態で停止すると確変大当り（特定当り）を示し、ＬＥＤが第２の色の発光状態で停止すると通常大当り（非特定当り）を示し、ＬＥＤが第３の色の発光状態で停止すると外れを示すようにしてもよい。なお、上述した第１図柄表示装置４０が本発明における識別情報変動表示手段に相当する。
【００７０】
第２図柄表示装置４１は、第２図柄用としての例えば「○」が描かれた表示部４１ａと、第２図柄用としての例えば「×」が描かれた表示部４１ｂと、保留ランプ４１ｃとを有し、遊技球が第２の始動口３４を通過する毎に例えば表示部４１ａ，４１ｂによる表示図柄（普通図柄）が変動し、その変動表示が所定図柄で停止した場合に下部側の第１の始動口３３ｂが所定時間だけ作動状態となる（開放される）よう構成されている。遊技球が第２の始動口３４を通過した回数は最大４回まで保留され、その保留回数が保留ランプ４１ｃにて点灯表示されるようになっている。なお、表示部４１ａ，４１ｂは、その内部にＬＥＤ（発光ダイオード）を有しており、このＬＥＤの発光（あるいはランプの点灯）を切り換えることにより変動表示される構成としている。なお、上述した第２図柄表示装置４１が本発明における普通識別情報変動表示手段に相当する。
【００７１】
第３図柄表示装置４２は、例えば液晶表示装置で構成されており、後述する表示制御装置４５により表示内容が制御される。第３図柄表示装置４２には、例えば後述する図５に示すように、左、中及び右の３つの装飾図柄列Ｌ，Ｍ，Ｒが表示される。各装飾図柄列Ｌ，Ｍ，Ｒは複数の装飾図柄によって構成されており、これら装飾図柄が装飾図柄列Ｌ，Ｍ，Ｒ毎にスクロールされるようにして第３図柄表示装置４２に可変表示されるようになっている。なお本実施の形態では、第３図柄表示装置４２（液晶表示装置）は、例えば、９．３インチサイズの大型の液晶ディスプレイを備える。可変表示装置ユニット３５には、第３図柄表示装置４２を囲むようにしてセンターフレーム４７が配設されている。なお、上述した第３図柄表示装置４２が本発明における装飾識別情報（図柄）変動表示手段に相当し、上述した表示制御装置４５が本発明における表示制御手段に相当する。
【００７２】
図２に示すように、可変入賞装置３２は、通常は遊技球が入賞できない又は入賞し難い閉状態になっており、大当たりの際に遊技球が入賞しやすい開状態と通常の閉状態とに繰り返し作動されるものである。このように、大当たりの際に可変入賞装置３２が開状態と通常の閉状態とに繰り返し作動される状態は、特別遊技状態（例えば、大当り状態）と呼ばれ、可変入賞装置３２に多数の遊技球が入球（入賞）し、その入賞に対して大量の遊技球が賞球払い出しされることから、遊技者にとって有利な遊技状態となっている。
【００７３】
より詳しくは、第１の始動口３３ａ，３３ｂに対し遊技球が入賞すると第１図柄表示装置４０の２個のＬＥＤ４０ａ，４０ｂが変動表示され、その変動停止後のＬＥＤ４０ａ，４０ｂの表示が予め設定した発光態様の組合せとなった場合に特別遊技状態が発生する。例えば、両方のＬＥＤ４０ａ，４０ｂが赤色発光状態で停止するという発光態様の場合には、確変大当り（特定当り）の特別遊技状態に当選したことを示し、両方のＬＥＤ４０ａ，４０ｂが青色発光状態で停止するという発光態様の場合には、通常大当り（非特定当り）の特別遊技状態に当選したことを示し、両方のＬＥＤ４０ａ，４０ｂが互いに異なる色の発光状態で停止するという発光態様の場合には外れ（特別遊技状態に落選したこと）を示す。
【００７４】
そして、可変入賞装置３２は、その大入賞口３２ａが所定の開放状態となり、遊技球が入賞しやすい状態（大当たり状態）になるよう構成されている。具体的には、当該開放状態についての所定時間の経過又は所定個数の入賞を１ラウンドとして、可変入賞装置３２の大入賞口３２ａが所定回数（ラウンド数）繰り返し開放される。遊技球が第１の始動口３３ａ，３３ｂを通過した回数は最大４回まで保留され、その保留回数が保留ランプ４０ｃにて点灯表示されるようになっている。なお、保留ランプ４０ｃは、第３図柄表示装置４２の表示画面の一部で保留表示等される構成等であっても良い。
【００７５】
また、遊技盤３０には、図２に示すように、遊技球発射装置３８（図３参照）から発射された遊技球を遊技盤３０上部へ案内するためのレールユニット５０が取り付けられており、遊技球発射ハンドル１８の回動操作に伴い発射された遊技球はレールユニット５０の後述する球案内通路４９を通じて所定の遊技領域３０ａに案内されるようになっている。レールユニット５０はリング状をなす樹脂成型品（例えば、フッ素樹脂が添加されて成形されたもの）にて構成されており、内外二重に一体形成された内レール５１と外レール５２とを有する。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１，５２が所定間隔を隔てて並行する部分（向かって左側の部分）により球案内通路４９が形成されている。なお、球案内通路４９は、遊技盤３０との当接面を有した溝状、すなわち手前側を開放した溝状に形成されている。
【００７６】
内レール５１の先端部分（図２の左上部）には戻り球防止部材５３が取着されている。これにより、一旦、内レール５１及び外レール５２間の球案内通路４９から遊技盤３０の上部へと案内された遊技球が再度球案内通路４９内に戻ってしまうといった事態が防止されるようになっている。また、外レール５２には、遊技球の最大飛翔部分に対応する位置（図２の右上部：外レール５２の先端部に相当する部位）に返しゴム５４が取着されている。従って、所定以上の勢いで発射された遊技球は、返しゴム５４に当たって跳ね返されるようになっている。外レール５２の内側面には、遊技球の飛翔をより滑らかなものとするべく、つまり遊技球の摩擦抵抗を少なくするべく、長尺状をなすステンレス製の金属帯としての摺動プレート５５が取着されている。
【００７７】
また、レールユニット５０の外周部には、正面視した状態で周囲外方へ張り出した円弧状のフランジ５６が形成されている。フランジ５６は、遊技盤３０に対する取付面を構成する。レールユニット５０が遊技盤３０に取り付けられる際には、遊技盤３０上にフランジ５６が当接され、その状態で、当該フランジ５６に形成された複数の透孔にネジ等が挿通されて遊技盤３０に対するレールユニット５０の締結がなされるようになっている。
【００７８】
さらに本実施の形態では、正面から見てレールユニット５０の上下左右の各端部は略直線状に（平坦に）形成されている。つまり、レールユニット５０の上下左右の各端部においてはフランジ５６が切り落とされ、パチンコ機１０における有限の領域にてレール径の拡張、すなわち遊技盤３０上の遊技領域３０ａの拡張が図られるようになっている。
【００７９】
内レール５１及び外レール５２間の球案内通路４９の入口には、当該球案内通路４９の一部を閉鎖するようにして凸部５７が形成されている。この凸部５７は、内レール５１からレールユニット５０下端部にかけて略鉛直方向に設けられ、遊技領域３０ａまで至らず球案内通路４９内を逆流してくるファール球を内枠１２に設けられたファール球通路（図示省略）に導くための役目をなす。なお、遊技盤３０の右下隅部及び左下隅部は、証紙（例えば製造番号が記載されている）等のシール（図２のＳ１，Ｓ２）やプレートを貼着するためのスペースとなっており、この貼着スペースを確保するために、フランジ５６に切欠５８，５９が形成されている。遊技盤３０の右下隅部や左下隅部に、証紙等のシール（図２のＳ１，Ｓ２）を貼着することで、遊技盤３０と証紙との一義性を持たせることができる。
【００８０】
次に、遊技盤３０の遊技領域３０ａについて説明する。遊技領域３０ａは、図２に示すように、レールユニット５０の内周部（内外レール）により略円形状に区画形成されており、特に本実施の形態では、遊技盤３０の盤面上に区画される当該遊技領域３０ａが従来よりもはるかに大きく構成されている。本実施の形態では、外レール５２の最上部地点から遊技盤３０下部までの間の距離は４４５ｍｍ（従来品よりも５８ｍｍ長い）、外レール５２の極左位置から内レール５１の極右位置までの間の距離は４３５ｍｍ（従来品よりも５０ｍｍ長い）となっている。また、内レール５１の極左位置から内レール５１の極右位置までの間の距離は４１８ｍｍとなっている。
【００８１】
本実施の形態では、遊技領域３０ａを、パチンコ機１０の正面から見て、内レール５１及び外レール５２によって囲まれる領域のうち、内外レール５１，５２の並行部分である誘導レールの領域を除いた領域としている。従って、遊技領域３０ａと言った場合には誘導レール部分は含まないため、遊技領域３０ａの向かって左側限界位置は外レール５２によってではなく内レール５１によって特定される。同様に、遊技領域３０ａの向かって右側限界位置は内レール５１によって特定される。また、遊技領域３０ａの下側限界位置は遊技盤３０の下端位置によって特定される。また、遊技領域３０ａの上側限界位置は外レール５２によって特定される。
【００８２】
従って、本実施の形態では、遊技領域３０ａの幅（左右方向の最大幅）は、４１８ｍｍであり、遊技領域３０ａの高さ（上下方向の最大幅）は、４４５ｍｍである。
【００８３】
なお、詳しい図面の開示は省略するが、遊技球発射装置３８には、前面枠セット１４側の球出口（上皿１９の最下流部より通じる球出口）から遊技球が１つずつ供給される。
【００８４】
次に、パチンコ機１０の背面の構成について説明する。図３に示すように、パチンコ機１０は、その背面（実際には内枠１２及び遊技盤３０の背面）において、各種制御基板が上下左右に並べられるようにして又は前後に重ねられるようにして配置されており、さらに、遊技球を供給するための遊技球供給装置（払出機構部３５２）や樹脂製の保護カバー等が取り付けられている。本実施の形態では、各種制御基板を２つの取付台に分けて搭載して２つの制御基板ユニットを構成し、それら制御基板ユニットを個別に内枠１２又は遊技盤３０の裏面に装着するようにしている。この場合、後述する図４に示した主制御装置２６１とサブ制御装置２６２とを一方の取付台（図示省略）に搭載してユニット化すると共に、後述する図４に示した払出制御装置３１１、発射制御装置３１２及び電源装置３１３を他方の取付台（図示省略）に搭載してユニット化している。ここでは便宜上、前者のユニットを「第１制御基板ユニット２０１」と称し、後者のユニットを「第２制御基板ユニット２０２」と称することとする。
【００８５】
また、払出機構部３５２及び保護カバーも１ユニットとして一体化されており、一般に樹脂部分を裏パックと称することもあるため、ここではそのユニットを「裏パックユニット２０３」と称する。各ユニット２０１〜２０３の詳細な構成については後述する。
【００８６】
第１制御基板ユニット２０１、第２制御基板ユニット２０２及び裏パックユニット２０３は、ユニット単位で何ら工具等を用いずに着脱できるよう構成されており、さらにこれに加え、一部に支軸部を設けて内枠１２又は遊技盤３０の裏面に対して開閉できる構成となっている。これは、各ユニット２０１〜２０３やその他構成が前後に重ねて配置されても、隠れた構成等を容易に確認することを可能とするための工夫でもある。
【００８７】
また、遊技盤３０の裏面には、各種入賞口などの遊技球の通過を検出するための入賞感知機構などが設けられている。具体的には、遊技盤３０表側の一般入賞口３１に対応する位置には入賞口スイッチが設けられ、可変入賞装置３２にはカウントスイッチが設けられている。カウントスイッチは入賞球をカウントするスイッチである。また、第１の始動口３３ａ，３３ｂに対応する位置には作動口スイッチがそれぞれ設けられ、第１の始動口３３ａ，３３ｂへの遊技球の入球を当該作動口スイッチで検出される。第２の始動口３４に対応する位置にはゲートスイッチが設けられ、第２の始動口３４への遊技球の通過を当該作動口スイッチで検出される。ている。なお、上述した作動口スイッチが本発明における入賞検出手段に相当する。
【００８８】
入賞口スイッチ及びゲートスイッチは、図示しない電気配線を通じて盤面接続基板（図示省略）に接続され、さらにこの盤面接続基板が後述する主制御装置２６１内の主制御基板２６１ａ（図４参照）に接続されている。また、カウントスイッチは大入賞口中継端子基板（図示省略）に接続され、さらにこの大入賞口中継端子基板（図示省略）がやはり主制御基板２６１ａに接続されている。これに対し、作動口スイッチは中継基板を介さずに直接に主制御基板２６１ａに接続されている。
【００８９】
その他図示は省略するが、可変入賞装置３２には、大入賞口３２ａを開放するための大入賞口ソレノイドが設けられ、下部側の第１の始動口３３ｂには、電動役物を開放するための後述する作動口ソレノイド４２０（図１３参照）が設けられている。
【００９０】
上記入賞感知機構にて各々検出された検出結果は、後述する主制御装置２６１内の主制御基板２６１ａに取り込まれ、該主制御基板２６１ａよりその都度の入賞状況に応じた払出指令（遊技球の払出個数）が払出制御基板３１１ａに送信される。そして、該払出制御基板３１１ａの出力により所定数の遊技球の払出が実施される。かかる場合、各種入賞口に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００９１】
第１制御基板ユニット２０１は略Ｌ字状をなす取付台（図示省略）を有し、この取付台に主制御装置２６１とサブ制御装置２６２とが搭載されている。ここで、主制御装置２６１は、図４に示すように、主たる制御を司るＣＰＵ５０１と、遊技プログラムを記憶したＲＯＭ５０２と、遊技の進行に応じた必要なデータを記憶するＲＡＭ５０３と、各種機器との連絡をとる入出力ポート５０５と、各種抽選の際に用いられる乱数発生器（図示省略）と、時間計数や同期を図る場合などに使用されるクロックパルス発生回路（図示省略）などを含む主制御基板２６１ａを具備しており、この主制御基板２６１ａが透明樹脂材料等よりなる基板ボックス２６３（被包手段）に収容されて構成されている。なお、基板ボックス２６３は、略直方体形状のボックスベース（図示省略）と該ボックスベースの開口部を覆うボックスカバー（図示省略）とを備えている。これらボックスベースとボックスカバーとは封印ユニット（図示省略）によって開封不能に連結され、これにより基板ボックス２６３が封印されている。
【００９２】
封印手段としての封印ユニットはボックスベース（図示省略）とボックスカバー（図示省略）とを開封不能に連結する構成であれば任意の構成が適用できるが、本実施例では、例えば５つの封印部材が連結された構成となっており、この封印部材の長孔に係止爪を挿入することでボックスベースとボックスカバーとが開封不能に連結されるようになっている。封印ユニットによる封印処理は、その封印後の不正な開封を防止し、また万一不正開封が行われてもそのような事態を早期に且つ容易に発見可能とするものであって、一旦開封した後でも再度開封・封印処理を行うこと自体は可能である。すなわち、封印ユニット（図示省略）を構成する５つの封印部材のうち、少なくとも一つの封印部材の長孔に係止爪を挿入することにより封印処理が行われる。そして、収容した主制御基板２６１ａの不具合などにより基板ボックス２６３を開封する場合には、係止爪が挿入された封印部材と他の封印部材との連結を切断する。その後、再度封印処理する場合は他の封印部材の長孔に係止爪を挿入する。基板ボックス２６３の開封を行った旨の履歴を当該基板ボックス２６３に残しておけば、基板ボックス２６３を見ることで不正な開封が行われた旨が容易に発見できる。
【００９３】
また、サブ制御装置２６２は、例えば主制御装置２６１内の主制御基板２６１ａからの指示に従い音声やランプ表示の制御や表示制御装置４５の制御を司るＣＰＵ５５１や、その他ＲＯＭ５５２、ＲＡＭ５５３、バスライン５５４及び入出力ポート５５５等を含むサブ制御基板２６２ａを具備しており、このサブ制御基板２６２ａが透明樹脂材料等よりなる基板ボックス（図示省略）に収容されて構成されている。サブ制御装置２６２上には電源中継基板（図示省略）が搭載されており、後述する電源基板より供給される電源がこの電源中継基板（図示省略）を介してサブ制御装置２６２および表示制御装置４５に出力されるようになっている。
【００９４】
第２制御基板ユニット２０２は横長形状をなす取付台（図示省略）を有し、この取付台に払出制御装置３１１、発射制御装置３１２、電源装置３１３及びカードユニット接続基板（図示省略）が搭載されている。払出制御装置３１１は制御の中枢をなすＣＰＵや、その他ＲＯＭ、ＲＡＭ、各種ポート等を含む制御基板を具備しており、発射制御装置３１２は発射制御基板を具備しており、電源装置３１３は電源制御基板を具備している。払出制御装置３１１の払出制御基板３１１ａは、賞品球や貸出球の払出を制御する。また、発射制御装置３１２の発射制御基板により、遊技者による遊技球発射ハンドル１８の操作に従い発射装置２２９（図４参照）の制御が行われ、電源装置３１３の電源基板により、各種制御装置等で要する所定の電源電圧が生成され出力される。本実施例の発射装置２２９は、発射ソレノイド（図示省略）への通電    ／非通電に従って進退自在な発射槌部（図示省略）で遊技球を打ちつけて発射させるソレノイド式発射部品を採用しているが、それ以外の発射装置２２９としては、発射モータの駆動に従って動作する発射杵で遊技球を打ちつけて発射させる機械式発射部品や、電磁場を発生させることで遊技球を発射させる電磁式発射部品など種々のタイプのものが採用できる。カードユニット接続基板（図示省略）は、パチンコ機前面の貸球操作部１２０（図１参照）及び図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００９５】
上記払出制御装置３１１、発射制御装置３１２、電源装置３１３及びカードユニット接続基板（図示省略）は、透明樹脂材料等よりなる基板ボックス（図示省略）にそれぞれ収容されて構成されている。特に、払出制御装置３１１では、前述した主制御装置２６１と同様、基板ボックス（被包手段）を構成するボックスベース（図示省略）とボックスカバー（図示省略）とが封印ユニット（封印手段）によって開封不能に連結され、これにより基板ボックス２６３が封印されている。
【００９６】
払出制御装置３１１には状態復帰スイッチ（図示省略）が設けられている。例えば、払出モータ部の球詰まり等、払出エラーの発生時において状態復帰スイッチ（図示省略）が押下されると、払出モータ３５８ａ（図４参照）がゆっくり正回転され、球詰まりの解消（正常状態への復帰）が図られるようになっている。
【００９７】
また、電源監視基板２６１ｂにはＲＡＭ消去スイッチ３２３が設けられている。本パチンコ機１０はバックアップ機能を有しており、万一停電が発生した際でも停電時の状態を保持し、停電からの復帰（復電）の際には停電時の状態に復帰できるようになっている。従って、通常手順で（例えばホールの営業終了時に）電源遮断すると電源遮断前の状態が記憶保持されることから、電源投入時に初期状態に戻したい場合には、ＲＡＭ消去スイッチ３２３を押しながら電源を投入することとしている。
【００９８】
次に、裏パックユニット２０３の構成を説明する。裏パックユニット２０３は、図３に示すように、樹脂成形された裏パック３５１と遊技球の払出機構部３５２とを一体化したものである。
【００９９】
裏パックユニット２０３は、その最上部に上方に開口したタンク３５５が設けられており、このタンク３５５には遊技ホールの島設備（遊技島設備）から供給される遊技球が逐次補給される。タンク３５５の下方には、例えば横方向２列の球通路を有し下流側に向けて緩やかに下り傾斜するタンクレール３５６が連結され、さらにタンクレール３５６の下流側には縦向きにケースレール３５７が連結されている。ケースレール３５７の最下流部には、払出装置３５８が設けられ、払出モータ３５８ａ等の所定の電気的構成により必要個数の遊技球の払出が適宜行われる。そして、払出装置３５８より払い出された遊技球は払出通路（図示省略）等を通じて前記上皿１９に供給される。
【０１００】
また、タンクレール３５６には、当該タンクレール３５６に振動を付加するためのバイブレータ３６０が設けられている。例えば、バイブレータ３６０が例えば２本のネジでタンクレール３５６に締結されて取り付けられるようになっている。さらに、バイブレータ３６０は、タンクレール３５６に面接触するのではなく、当該２本のネジの部分で接触するようになっており、バイブレータ３６０による振動がより効果的にタンクレール３５６に伝わるようになっている。従って、仮にタンクレール３５６付近で球詰まりが生じた際、バイブレータ３６０が駆動されることで球詰まりが解消されるようになっている。
【０１０１】
払出機構部３５２には、払出制御装置３１１から払出装置３５８への払出指令の信号を中継する払出中継基板（図示省略）が設置されると共に、外部より主電源を取り込むための電源スイッチ基板３８２が設置されている。電源スイッチ基板３８２には、電圧変換器を介して例えば交流２４Ｖの主電源が供給され、電源スイッチ３８２ａの切替操作により電源ＯＮ又は電源ＯＦＦとされるようになっている。
【０１０２】
タンク３５５から払出通路（図示省略）に至るまでの払出機構部３５２は何れも導電性を有する樹脂材料（例えば導電性ポリカーボネート樹脂）にて成形され、その一部にてアースされている。これにより、遊技球の帯電によるノイズの発生が抑制されるようになっている。
【０１０３】
なお、図３に示すように、内枠１２の右上側には、内枠１２が外枠１１に対して開かれたことを検出する接触型位置検出スイッチ（内枠開検出スイッチ）３８８が設けられている。内枠１２が開かれると、接触型位置検出スイッチ３８８からホール内（パチンコ店内）用コンピュータへ出力されるようになっている。
【０１０４】
次に、本パチンコ機１０の電気的構成について、図４を用いて説明する。本パチンコ機１０は、主制御装置２６１と、払出制御装置３１１と、発射制御装置３１２と、サブ制御装置２６２と、表示制御装置４５と、電源装置３１３などを備えている。以下に、これらの装置を個別に詳細に説明する。
【０１０５】
パチンコ機１０の主制御装置２６１には、演算装置である１チップマイコンとしてのＣＰＵ５０１が搭載されている。ＣＰＵ５０１には、該ＣＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、割込回路やタイマ回路、データ送受信回路などの各種回路が内蔵されている。
【０１０６】
ＲＡＭ５０３は、パチンコ機１０の電源のオフ後においても電源装置３１３からバックアップ電圧が供給されてデータが保持（バックアップ）できる構成となっており、ＲＡＭ５０３には、各種のデータ等を一時的に記憶するためのメモリやエリアを備えている。
【０１０７】
つまり、停電などの発生により電源が切断された場合において、主制御装置２６１のＣＰＵ５０１は、通常処理を最後までを実行するので、ＲＡＭ５０３は、電源切断時（停電発生時を含む。以下同様）のカウンタ用バッファや保留球格納エリアの内容を記憶保持するだけでよく、電源の再入時にパチンコ機１０の状態を電源切断前の状態に復帰させることができる。具体的には、電源切断時（停電発生時を含む。以下同様）における通常処理の途中の遊技情報についての各レジスタやＩ／Ｏ等の値を記憶しておくための専用のバックアップエリアをＲＡＭ５０３に設ける必要がない。なお、ＣＰＵ５０１のＮＭＩ端子（ノンマスカブル割込端子）には、停電等の発生による電源断時に、後述する停電監視回路５４２から出力される停電信号Ｓ１が入力されるように構成されており、停電の発生により、停電処理（ＮＭＩ割込み処理）が即座に実行される。
【０１０８】
かかるＲＯＭ５０２及びＲＡＭ５０３を内蔵したＣＰＵ５０１には、アドレスバス及びデータバスで構成されるバスライン５０４を介して入出力ポート５０５が接続されている。入出力ポート５０５には、後述するＲＡＭ消去スイッチ回路５４３、払出制御装置３１１、発射制御装置３１２、サブ制御装置２６２、第１図柄表示装置４０、第２図柄表示装置４１や、その他図示しないスイッチ群などが接続されている。また、主制御装置２６１は、第１図柄表示装置４０における第１図柄の変動表示と、第２図柄表示装置４１における第２図柄の変動表示とを制御する機能を備えている。
【０１０９】
また、払出制御装置３１１は、払出モータ３５８ａにより賞球や貸し球の払出制御を行うものである。演算装置であるＣＰＵ５１１は、そのＣＰＵ５１１により実行される制御プログラムや固定値データ等を記憶したＲＯＭ５１２と、ワークメモリ等として使用されるＲＡＭ５１３とを備えている。
【０１１０】
払出制御装置３１１のＲＡＭ５１３は、前述した主制御装置２６１のＲＡＭ５０３と同様に、パチンコ機１０の電源のオフ後においても電源装置３１３からバックアップ電圧が供給されてデータが保持（バックアップ）できる構成となっており、ＲＡＭ５１３には、各種のデータ等を一時的に記憶するためのメモリやエリアを備えている。
【０１１１】
ＲＡＭ５１３は、停電などの発生により電源が切断された場合において、電源の再入時にパチンコ機１０の状態を電源切断前の状態に復帰させるべく、電源切断時の状態に関する情報を記憶保持する。つまり、このＲＡＭ５１３の記憶保持は、ＮＭＩ割込み処理と払出制御処理の後半部分のステップとによって電源切断時に実行され、逆にＲＡＭ５１３の記憶情報の復帰は、電源入時の復電処理において実行される。
【０１１２】
かかるＲＯＭ５１２及びＲＡＭ５１３を内蔵したＣＰＵ５１１には、アドレスバス及びデータバスで構成されるバスライン５１４を介して入出力ポート５１５が接続されている。入出力ポート５１５には、主制御装置２６１、発射制御装置３１２、払出モータ３５８ａなどがそれぞれ接続されている。
【０１１３】
図４に示すように、発射制御装置３１２は、発射装置２２９による遊技球の発射を許可又は禁止するものであり、発射装置２２９は、所定条件が整っている場合に駆動が許可される。具体的には、発射制御装置３１２は、払出制御装置３１１からのカードユニット接続信号Ｓ４（前述したカードユニットがパチンコ機１０に接続されている場合に出力される信号である）と、遊技者が遊技球発射ハンドル１８をタッチしている場合に出力されるタッチ検出信号Ｓ５と、遊技球発射ハンドル１８に設けられている、発射を停止させるための発射停止スイッチ１８ａが操作されていない場合に出力される発射維持信号Ｓ６との全てが入力されていることを条件に、発射許可信号Ｓ７を主制御装置２６１に出力する。
【０１１４】
すなわち、発射許可信号Ｓ７がＯＮ（ハイレベル）である期間は発射許可状態であり、発射許可信号Ｓ７がＯＦＦ（ローレベル）である期間は発射不許可状態である。つまり、主制御装置２６１は、入力される発射許可信号Ｓ７がＯＮ（ハイレベル）である期間において、遊技球を発射する発射ソレノイド（図示省略）の制御を行う発射制御信号Ｓ８（パルス信号）と、発射レール４０１に遊技球を送る球送りソレノイドの制御を行う球送り制御信号Ｓ９（パルス信号）とを、発射制御装置３１２に所定の繰り返し周期で繰り返し出力する。発射制御装置３１２は、発射制御信号Ｓ８及び球送り制御信号Ｓ９に基づいて発射装置２２９を駆動制御し、遊技球発射ハンドル１８の操作量に応じた強度で遊技球が発射される。逆に、主制御装置２６１は、入力される発射許可信号Ｓ７がＯＦＦ（ローレベル）である期間においては、発射制御信号Ｓ８及び球送り制御信号Ｓ９を発射制御装置３１２に出力せず、発射装置２２９によって遊技球が発射されることはない。
【０１１５】
表示制御装置４５は、第３図柄表示装置４２における第３図柄（装飾図柄）の変動表示を制御するものである。この表示制御装置４５は、ＣＰＵ５２１と、ＲＯＭ（プログラムＲＯＭ）５２２と、ワークＲＡＭ５２３と、ビデオＲＡＭ５２４と、キャラクタＲＯＭ５２５と、画像コントローラ５２６と、入力ポート５２７と、出力ポート５２９と、バスライン５３０，５３１とを備えている。入力ポート５２７の入力にはサブ制御装置２６２の出力が接続され、入力ポート５２７には、ＣＰＵ５２１、ＲＯＭ５２２、ワークＲＡＭ５２３、画像コントローラ５２６が接続されている。また、画像コントローラ５２６にはバスライン５３１を介して出力ポート５２９が接続されており、その出力ポート５２９の出力には液晶表示装置である第３図柄表示装置４２が接続されている。
【０１１６】
表示制御装置４５のＣＰＵ５２１は、主制御装置２６１からの各種コマンドがサブ制御装置２６２で編集等されて送信される各種コマンドに基づいて、第３図柄表示装置４２での装飾図柄表示を制御する。ＲＯＭ５２２は、そのＣＰＵ５２１により実行される各種の制御プログラムや固定値データを記憶するためのメモリであり、ワークＲＡＭ５２３は、ＣＰＵ５２１による各種プログラムの実行時に使用されるワークデータやフラグを一時的に記憶するためのメモリである。
【０１１７】
ビデオＲＡＭ５２４は、第３図柄表示装置４２に表示される表示データを記憶するためのメモリであり、このビデオＲＡＭ５２４の内容を書き替えることにより、第３図柄表示装置４２の表示内容が変更される。キャラクタＲＯＭ５２５は、第３図柄表示装置４２に表示される装飾図柄などのキャラクタデータを記憶するためのメモリである。画像コントローラ５２６は、ＣＰＵ５２１、ビデオＲＡＭ５２４、出力ポート５２９のそれぞれのタイミングを調整してデータの読み書きに介在すると共に、ビデオＲＡＭ５２４に記憶される表示データを、キャラクタＲＯＭ５２５から所定のタイミングで読み出して第３図柄表示装置４２に表示させるものである。
【０１１８】
また、電源装置３１３は、パチンコ機１０の各部に電力を供給するための電源部５４１とを備えている。電源部５４１は、図示しない電源経路を通じて、主制御装置２６１や払出制御装置３１１等に対して各々に必要な動作電源を供給する。その概要としては、電源部５４１は、外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置２６１や払出制御装置３１１等に対して供給する。なお、発射制御装置３１２に対しては払出制御装置３１１を介して動作電源（＋１２Ｖ電源、＋５Ｖ電源等）が供給される。
【０１１９】
図４に示すように、主制御装置２６１は、透明樹脂材料等よりなる基板ボックス２６３内に、主制御基板２６１ａと、この主制御基板２６１ａとは別体の電源監視基板２６１ｂとを備えている。電源監視基板２６１ｂは、停電等による電源遮断を監視する停電監視回路５４２と、ＲＡＭ消去スイッチ３２３に接続されてなるＲＡＭ消去スイッチ回路５４３とを備えている。
【０１２０】
停電監視回路５４２は、停電等の発生による電源断時に、主制御装置２６１のＣＰＵ５０１及び払出制御装置３１１のＣＰＵ５１１の各ＮＭＩ端子へ停電信号Ｓ１を出力するための回路である。停電監視回路５４２は、電源部５４１で交流２４ボルトの電圧を監視し、この電圧が２４ボルト未満になった時間が例えば２０ミリ秒を超えた場合に停電（電源断）の発生と判断して、停電信号Ｓ１を主制御装置２６１及び払出制御装置３１１へ出力する。この停電信号Ｓ１の出力によって、主制御装置２６１及び払出制御装置３１１は、停電の発生を認識し、停電時処理（ＮＭＩ割込み処理）を実行する。
【０１２１】
なお、電源部５４１は、電源部５４１で監視している交流５ボルトが５ボルト未満となった時間が２０ミリ秒を越えた後においても、かかる停電時処理の実行に充分な時間の間、制御系の駆動電圧である５ボルトの出力を正常値に維持するように構成されている。よって、主制御装置２６１及び払出制御装置３１１は、停電時処理を正常に実行し完了することができる。
【０１２２】
ＲＡＭ消去スイッチ回路５４３は、ＲＡＭ消去スイッチ３２３のスイッチ信号を取り込み、そのスイッチ３２３の状態に応じて主制御装置２６１のＲＡＭ５０３及び払出制御装置３１１のＲＡＭ５１３のバックアップデータをクリアするための回路である。ＲＡＭ消去スイッチ３２３が押下された際、ＲＡＭ消去スイッチ回路５４３は、ＲＡＭ消去信号Ｓ２を主制御基板２６１ａに出力する。ＲＡＭ消去スイッチ３２３が押下された状態でパチンコ機１０の電源が投入されると（停電解消による電源入を含む）、主制御装置２６１においてＲＡＭ５０３のデータがクリアされ、払出制御装置３１１は主制御装置２６１からの初期化コマンドを受けるとＲＡＭ５１３のデータがクリアされる。
【０１２３】
ところで、第３図柄表示装置４２（液晶表示装置）には、図５に示すように、左・中・右の３つの装飾図柄列Ｌ，Ｍ，Ｒが設定されており、装飾図柄列Ｌ，Ｍ，Ｒ毎に上装飾図柄、中装飾図柄、下装飾図柄の３個ずつの装飾図柄が変動表示される。本実施の形態では、一連の図柄は、「０」〜「９」の数字を各々付した主装飾図柄ＳＺと、菱形状の絵図柄からなる副装飾図柄ＦＺとにより構成されており、数字の昇順又は降順に主装飾図柄ＳＺが表示されると共に各主装飾図柄ＳＺの間に副装飾図柄ＦＺが配されて一連の装飾図柄列Ｌ，Ｍ，Ｒが構成されている。そして、周期性を持って主装飾図柄ＳＺと副装飾図柄ＦＺが上から下へと変動表示されるようになっている。
【０１２４】
かかる場合、左装飾図柄列Ｌにおいては、上記一連の装飾図柄が降順（すなわち、主装飾図柄ＳＺの番号が減る順）に表示され、中装飾図柄列Ｍ及び右装飾図柄列Ｒにおいては、同じく上記一連の装飾図柄が昇順（すなわち、主装飾図柄ＳＺの番号が増える順）に表示される。そして、左装飾図柄列Ｌ→右装飾図柄列Ｒ→中装飾図柄列Ｍの順に変動表示が停止し、その停止時に第３図柄表示装置４２上の５つの有効ライン、すなわち上ラインＬ１、中ラインＬ２、下ラインＬ３、右上がりラインＬ４、左上がりラインＬ５の何れかで主装飾図柄ＳＺが大当たり図柄の組合せ（本実施の形態では、同一の主装飾図柄ＳＺの組合せ）で揃えば大当たりとして特別遊技動画が表示されるようになっている。
【０１２５】
次に、本実施例のパチンコ機１０のさらなる特徴部分の構成について、図６〜図１８を用いて説明する。図６は、始動入賞装置３３を左斜め上から見た左斜視図である。図７は、始動入賞装置３３を右斜め上から見た右斜視図である。図８（ａ）〜（ｃ）は、それぞれ始動入賞装置３３の左側面図、平面図、正面図である。図９（ａ）〜（ｃ）は、それぞれ始動入賞装置３３の正面図、底面図、右側面図である。図１０は、始動入賞装置３３の裏面図である。図１１は、始動入賞装置３３における横方向通路４０４の位置関係を示す説明図である。図１２（ａ）は開閉羽根４１８が閉じた状態の始動入賞装置３３の右斜視図、図１２（ｂ）は開閉羽根４１８が閉じた状態の始動入賞装置３３の正面図である。図１３（ａ）は開閉羽根４１８が開いた状態の始動入賞装置３３の右斜視図、図１３（ｂ）は開閉羽根４１８が開いた状態の始動入賞装置３３の正面図である。図１４は、始動入賞装置３３の分解斜視図である。図１５は、始動入賞装置３３の内部構造を示す一部破断斜視図である。図１６は、始動入賞装置３３の下部側の第１の始動口３３ｂを進む遊技球Ｂを説明するための一部破断斜視図である。図１７は、遊技盤３０および集合板４４０の始動入賞装置３３の箇所を横断面して見下ろした状態の横断面図である。図１８は、遊技盤３０および集合板４４０の始動入賞装置３３の箇所を縦断面して左側から見た縦断面図である。
【０１２６】
パチンコ機１０は、図２に示すように、遊技球が打ち込まれる遊技領域３０ａを有する遊技盤３０を備えている。そして、この遊技盤３０は、その所定箇所に、遊技球が入球可能な始動入賞装置３３を備えている。具体的には、始動入賞装置３３は、遊技盤３０の遊技領域３０ａの幅の中央位置で、かつ、縦方向に延びる中央線上において、可変表示装置ユニット３５と可変入賞装置３２との間に配設されている。
【０１２７】
始動入賞装置３３は、図６，図７に示すように、上部側の第１の始動口３３ａと、下部側の第１の始動口３３ｂとの二系統の入賞機構を備えたものである。まず、下部側の第１の始動口３３ｂの構成について説明し、その後に、上部側の第１の始動口３３ａの構成について説明する。
【０１２８】
下部側の第１の始動口３３ｂは、図６，図７に示すように、遊技盤３０の遊技領域３０ａを流下する遊技球Ｂが入球可能な入球口４００と、その入球口４００に入球した遊技球Ｂを奥方向に案内する奥方向通路４０２（図１５参照）と、この奥方向通路４０２に連通し、遊技球Ｂを横方向に案内して遊技盤３０の裏面に沿うように排出する横方向通路４０４（図１５参照）と、この横方向通路４０４に設けられ、当該横方向通路４０４を通過する遊技球Ｂを検出する通過検出スイッチ４０６と、を備えている。本実施例では、この通過検出スイッチ４０６として、例えば、磁気型近接センサを採用している。なお、通過検出スイッチ４０６として、磁気型近接センサ以外のセンサやスイッチなどを採用するようにしても良い。
【０１２９】
下部側の第１の始動口３３ｂの奥方向通路４０２は、図１５に示すように、例えば、入球口４００の部分から終端までの長さが３ｃｍ（センチ）程度の長さで、始動入賞装置３３を正面視した状態で奥行きに向かう直線状の通路となっている。また、奥方向通路４０２は、図１４，図１５に示すように、その通路幅を遊技球Ｂの直径よりも僅かに大きいものとすることで、遊技球Ｂが一列に進むような通路形状としている。また、奥方向通路４０２は、その奥行き方向に僅かに下り傾斜となっている。具体的には、この実施例では、その下り傾斜を、例えば、奥行きに２ｃｍ進むと１ｍｍ下がる程度の傾斜としている。
【０１３０】
また、奥方向通路４０２は、図１５に示すように、その終端が遊技盤３０の裏面とほぼ一致している。図１７を用いて後述する上部側の第１の始動口３３ａの上部奥方向通路４３２の終端が遊技盤３０の裏面とほぼ一致しているのと同様に、下部側の第１の始動口３３ｂの奥方向通路４０２の終端も遊技盤３０の裏面とほぼ一致しているのである。図８，図９に示す一点鎖線は、遊技盤３０の正面の盤面位置を表わしており、図８，図９に示す二点鎖線線は、遊技盤３０の裏面の盤面位置を表わしており、下部側の第１の始動口３３ｂの奥方向通路４０２の終端が遊技盤３０の裏面とほぼ一致していることは、これらの図８，図９からもわかる。
【０１３１】
また、下部側の第１の始動口３３ｂの横方向通路４０４は、図１５に示すように、始動入賞装置３３を正面視した状態で、奥方向通路４０２に対して直角で、この奥方向通路４０２の終端に連通されて、左側へ曲がった通路となっている。具体的には、横方向通路４０４は、その入力口４０８（図１４参照）が奥方向通路４０２の終端に連通されて、入力口４０８に入球された遊技球Ｂの進路方向を遊技盤３０の裏面と略平行となるように曲げる曲げ通路４１０と、この曲げ通路４１０の出力側に通過検出スイッチ４０６を取り付ける取付部４１２とからなるものである。
【０１３２】
また、曲げ通路４１０は、図１４，図１５に示すように、その曲げ方向に向く側面から当該曲げ通路４１０の奥面にわたって、平面視で逆円弧状に突出した逆円弧状突出部４１４を備えている。
【０１３３】
図１５に示すように、下部側の第１の始動口３３ｂは、奥方向通路４０２と横方向通路４０４との継ぎ目４１５の箇所（図１４参照）に、奥方向通路４０２から横方向通路４０４に下る段差部４１６を備えている。本実施例では、この段差部４１６の高さを例えば２ｍｍ（ミリ）程度としている。
【０１３４】
また、下部側の第１の始動口３３ｂは、図６，図７，図１４に示すように、入球口４００の大きさが第１の大きさとなる第１状態（図１２参照）と、この入球口４００の大きさが第１の大きさよりも大きい第２の大きさとなる第２状態（図１３参照）とに変動する開閉羽根４１８と、始動入賞装置３３の裏面側に設けられた、開閉羽根４１８を開閉駆動する作動口ソレノイド４２０とを備えている。図１４に示すように、作動口ソレノイド４２０は、進退自在な可動片４２２を備えており、作動口ソレノイド４２０への通電によりその可動片４２２が進出することで伝達部材４２４（カム部材）をこの伝達部材４２４の軸周り（図１４に実線で示す矢印）に回動させ、この伝達部材４２４が連結された開閉羽根４１８が伝達部材４２４の回動にしたがって開くように構成されている。また、作動口ソレノイド４２０は、非通電とすることにより可動片４２２を後退させることで、伝達部材４２４を先程とは反対方向に当該伝達部材４２４の軸周り（図１４に破線で示す矢印）に回動させ、この伝達部材４２４が連結された開閉羽根４１８が閉じるように構成されている。
【０１３５】
なお、開閉羽根４１８が図１２に示すように第１状態（閉状態）であるときには、この開閉羽根４１８と第１の始動口３３ａとの間が遊技球Ｂの直径よりも小さいため、下部側の第１の始動口３３ｂの入球口４００には遊技球Ｂが入球できないようになっている。つまり、開閉羽根４１８が図１３に示すように第２状態（開状態）であるときには、この開閉羽根４１８と第１の始動口３３ａとの間が遊技球Ｂの直径よりも大きくなっているため、下部側の第１の始動口３３ｂの入球口４００に遊技球Ｂが入球できるようになっている。
【０１３６】
さらに、図１０に示すように、始動入賞装置３３は、その裏面視した状態において、通過検出スイッチ４０６が取付部４１２および奥方向通路４０２から横方向にずれた位置で、かつ、取付部４１２の一部が作動口ソレノイド４２０の一部に高さ方向に被る位置に配設されている。つまり、始動入賞装置３３を左側面視した状態において、取付部４１２の一部（本実施例では上部）が作動口ソレノイド４２０の一部（本実施例では下部）に長さｄ１で重なる位置に配設されている。また、図１１に示すように、横方向通路４０４は、その進行方向に僅かに下り傾斜となっている。具体的には、この実施例では、その下り傾斜を、例えば、進行方向に１．５ｃｍ進むと２ｍｍ下がる程度の傾斜としている。
【０１３７】
次に、上部側の第１の始動口３３ａの構成について説明する。上部側の第１の始動口３３ａは、図６〜図９に示すように、下部側の第１の始動口３３ｂの入球口４００の上方位置に当該入球口４００とは別の上部入球口４３０と、この上部入球口４３０に入球した遊技球Ｂを奥方向に案内する、下部側の第１の始動口３３ｂの奥方向通路４０２とは別の上部奥方向通路４３２と、この上部奥方向通路４３２に連通し、下部側の第１の始動口３３ｂの横方向通路４０４とは反対の横方向に遊技球Ｂを案内して遊技盤３０の裏面に沿うように排出する上部横方向通路４３４とを備えている。
【０１３８】
上部側の第１の始動口３３ａの上部奥方向通路４３２は、図１５に示すように、例えば、上部入球口４３０の部分から終端までの長さが３ｃｍ（センチ）程度の長さで、始動入賞装置３３を正面視した状態で奥行きに向かう直線状の通路となっている。また、この上部奥方向通路４３２は、図１４，図１５に示すように、その通路幅を遊技球Ｂの直径よりも僅かに大きいものとすることで、遊技球Ｂが一列に進むような通路形状としている。また、上部奥方向通路４３２は、その奥行き方向に僅かに下り傾斜となっている。具体的には、この実施例では、その下り傾斜を、例えば、奥行きに２ｃｍ進むと１ｍｍ下がる程度の傾斜としている。
【０１３９】
また、上部奥方向通路４３２は、図１７に示すように、その終端が遊技盤３０の裏面とほぼ一致している。図８，図９に示す一点鎖線は、遊技盤３０の正面の盤面位置を表わしており、図８，図９に示す二点鎖線線は、遊技盤３０の裏面の盤面位置を表わしており、上部側の第１の始動口３３ａの上部奥方向通路４３２の終端が遊技盤３０の裏面とほぼ一致していることは、これらの図８，図９からもわかる。
【０１４０】
また、上部側の第１の始動口３３ａの上部横方向通路４３４は、図１７に示すように、その入力口が上部奥方向通路４３２の終端に連通されて、入力口に入球された遊技球Ｂの進路方向を遊技盤３０の裏面と略平行となるように曲げ、かつ、曲げ通路４１０とは反対方向に排出する上部曲げ通路４３６としている。上部曲げ通路４３６は、図７，図１７に示すように、その流下方向に下る段差部４３８を備えている。
【０１４１】
さらに、遊技盤３０は、図１７に示すように、その裏面側に、当該遊技盤３０の裏面側に供給された遊技球Ｂを集めて排出する溝状の排出樋（図示省略）が形成された集合板４４０を備えている。この排出樋（図示省略）は、下部側の第１の始動口３３ｂの横方向通路４０４から排出される遊技球Ｂを受ける第１溝通路４４２と、上部側の第１の始動口３３ａの上部横方向通路４３４から排出される遊技球Ｂを受ける第２溝通路４４４とを備えている。第１溝通路４４２および第２溝通路４４４は、集合板４４０の遊技盤３０と対向する面側から見た状態において凹状の溝通路となっており、凹状の溝通路と遊技盤３０の裏面とで遊技球Ｂが通過する通路空間を形成している。また、図１７，図１８に示すように、第１溝通路４４２の下流側に落下溝４４６が形成されており、第１溝通路４４２を通る遊技球Ｂをこの落下溝４４６によって集合板４４０の下方へ導いている。これと同様な落下溝４４８が第２溝通路４４４にも形成されており、第２溝通路４４４を通る遊技球Ｂをこの落下溝４４８によって集合板４４０の下方へ導いている。
【０１４２】
さらに、図１７に示すように、集合板４４０は、上部横方向通路４３４の排出口４５０に対応する箇所に、上部横方向通路４３４を通過してきた遊技球Ｂの通過を検出する通過検出スイッチ４５２を備えている。本実施例では、この通過検出スイッチ４５２として、例えば、磁気型近接センサを採用している。なお、通過検出スイッチ４５２として、磁気型近接センサ以外のセンサやスイッチなどを採用するようにしても良い。
【０１４３】
図１０に示すように、始動入賞装置３３は、当該始動入賞装置３３を裏面視した状態での縦線上に、上部奥方向通路４３２と作動口ソレノイド４２０と奥方向通路４０２とを並べて配設したものである。また、始動入賞装置３３は、その裏面視した状態において、取付部４１２が、上部奥方向通路４３２、作動口ソレノイド４２０および奥方向通路４０２から横方向にずれた位置で、かつ、取付部４１２の一部が作動口ソレノイド４２０の一部に高さ方向に被る位置に配設されている。つまり、始動入賞装置３３を左側面視した状態において、取付部４１２の一部（本実施例では上部）が作動口ソレノイド４２０の一部（本実施例では下部）に長さｄ１で重なる位置に配設されている。また、図１１に示すように、上部横方向通路４３４は、その進行方向に僅かに下り傾斜となっている。具体的には、この実施例では、その下り傾斜を、例えば、進行方向に２．３ｃｍ進むと１ｍｍ下がる程度の傾斜としている。
【０１４４】
図１７に示すように、上部奥方向通路４３２は、前述したように、その通路幅を遊技球Ｂの直径よりも僅かに大きいものとすることで、遊技球Ｂが一列に進むような通路形状としている。また、上部曲げ通路４３６は、その曲げ方向に向く側面に、当該曲げ方向に遊技球Ｂの進路変更するための突出部４５４を備えている。
【０１４５】
図１７に示すように、突出部４５４は、上部奥方向通路４３２の通路方向から見た状態において、その突出先端とこの突出部４５４から遠い方の上部奥方向通路４３２の側面との距離が遊技球Ｂの直径よりも僅かに小さくなるように突出させたものである。
【０１４６】
なお、上述した下部側の第１の始動口３３ｂに設けられた通過検出スイッチ４０６が本発明における遊技球通過検出手段に相当し、上述した作動口ソレノイド４２０が本発明における駆動装置に相当し、上述した集合板４４０に設けられた通過検出スイッチ４５２が本発明における遊技球通過検出手段に相当する。
【０１４７】
ここで、遊技球Ｂが始動入賞装置３３の第１の始動口３３ａや第１の始動口３３ｂに入球した遊技球Ｂが集合板４４０に排出される様子について説明する。
【０１４８】
図１６に示すように開閉羽根４１８が第２状態（開状態）となっているときに、下部側の第１の始動口３３ｂの入球口４００に遊技球Ｂが入球することがある。この下部側の第１の始動口３３ｂの入球口４００に入球した遊技球Ｂは、下部側の第１の始動口３３ｂの奥方向通路４０２により奥方向に進み、その後の横方向通路４０４により、始動入賞装置３３を正面視した状態で左側に曲げられ、横方向通路４０４の終端側の取付部４１２に設けられた通過検出スイッチ４０６を通過することで、下部側の第１の始動口３３ｂへの遊技球Ｂの入球が検出される。この第１の始動口３３ｂに設けられた通過検出スイッチ４０６を通過した遊技球Ｂは、集合板４４０の第１溝通路４４２を通って当該集合板４４０の下部の方に集められて当該集合板４４０の排出樋からパチンコ機１０の外部へ排出される。
【０１４９】
また、図１６，図１７に示すように、上部側の第１の始動口３３ａは下部側の第１の始動口３３ｂとは別体となっており、下部側の第１の始動口３３ｂへの入球の有無に関わらず、上部側の第１の始動口３３ａの上部入球口４３０への入球が可能となっている。上部側の第１の始動口３３ａの上部入球口４３０に入球した遊技球Ｂは、上部側の第１の始動口３３ａの上部奥方向通路４３２により奥方向に進み、その後の上部横方向通路４３４により、始動入賞装置３３を正面視した状態で右側に曲げられ、上部横方向通路４３４から排出される。この上部横方向通路４３４から排出された遊技球Ｂは、上部横方向通路４３４の排出口４５０に対応する、集合板４４０の所定箇所に設けられた通過検出スイッチ４５２を通過することで、上部側の第１の始動口３３ａへの遊技球Ｂの入球が検出される。この第１の始動口３３ａは排出され集合板４４０に設けられた通過検出スイッチ４５２を通過した遊技球Ｂは、集合板４４０の第２溝通路４４４を通って当該集合板４４０の下部の方に集められて当該集合板４４０の排出樋からパチンコ機１０の外部へ排出される。
【０１５０】
上述したように、本実施例のパチンコ機１０によれば、遊技盤３０の所定箇所に設けられた、遊技球Ｂが入球可能な始動入賞装置３３は、遊技盤３０の遊技領域３０ａを流下する遊技球Ｂが入球可能な入球口４００と、その入球口４００に入球した遊技球Ｂを奥方向に案内する奥方向通路４０２と、この奥方向通路４０２に連通し、遊技球Ｂを横方向に案内して遊技盤３０の裏面に沿うように排出する横方向通路４０４と、この横方向通路４０４に設けられ、当該横方向通路４０４を通過する遊技球Ｂを検出する通過検出スイッチ４０６と、を備えているので、始動入賞装置３３は、その排出通路を奥方向通路４０２と横方向通路４０４とで構成しており、従来のような下方向通路を備えていないので、その下方向通路を用いない分だけ縦方向の大きさを小さくできる。また、始動入賞装置３３は、横方向通路４０４に通過検出スイッチ４０６を備えており、従来のような下方向通路に遊技球通過検出手段（例えば通過検出スイッチ）を設けることはしないので、従来のような下方向通路に遊技球通過検出手段（例えば通過検出スイッチ）を設けることによる縦方向の大きさが大きくなるという問題も生じない。したがって、始動入賞装置３３の下方位置の可変入賞装置３２との距離を縮めることができ、可変表示装置（可変表示装置ユニット３５）の大型化の要請にも対応できる。
【０１５１】
さらに、奥方向通路４０２よりも後方の横方向通路４０４に通過検出スイッチ４０６を備えているので、通過検出スイッチ４０６を奥方向通路４０２に備える従来例と比べて、通過検出スイッチ４０６の位置を遊技盤３０の盤面から離すことができ、不正をし難くできる。また、始動入賞装置３３の入球口４００に入球した遊技球Ｂは、奥方向通路４０２を通過した後に横方向通路４０４に案内され、この横方向通路４０４で通過検出スイッチ４０６による通過検出されるので、通過検出スイッチ４０６の位置を遊技盤３０の盤面から離すことができ、遊技盤３０の盤面（遊技領域３０ａ）を勢いよく落下してきた遊技球Ｂがそのままの勢いで通過検出スイッチ４０６を通過したり、あるいは、がたついて通過検出スイッチ４０６を通過したりする等を低減でき、遊技球Ｂが安定している状態（落ち着いた状態）で検出することができる。つまり、遊技球Ｂの通過検出漏れや二度検出等のおそれを低減でき、遊技球通過検出精度を向上させることができる。
【０１５２】
また、始動入賞装置３３は、通過検出スイッチ４０６を横方向通路４０４に備えており、従来のように奥方向通路の終端の方に備える訳ではないので、始動入賞装置３３の奥方向通路４０２が通過検出スイッチ４０６の厚み分さらに遊技盤３０の裏面側に突出するという従来の問題も生じないし、横方向通路４０４は遊技盤３０の裏面に沿うように遊技球Ｂを排出するので、始動入賞装置３３の排出通路（奥方向通路４０２と横方向通路４０４とからなる通路）を複雑に曲げる必要がないし、始動入賞装置３３の外部に遊技球Ｂを排出する際に遊技盤３０の裏面に沿った位置に遊技球Ｂを誘導することができる。つまり、従来のような「始動入賞装置外に遊技球Ｂを排出する際に遊技盤の裏面に沿った位置に遊技球Ｂを誘導するためには始動入賞装置の排出通路（特に下方向通路）を複雑に曲げなければならない」という問題も生じない。
【０１５３】
その結果、高さ方向のスペースを低減でき、かつ、遊技球通過検出精度を向上させることができ、さらに、排出通路を複雑に曲げる必要のない始動入賞装置３３を具備するパチンコ機（遊技機）を提供することができる。
【０１５４】
また、始動入賞装置３３は、奥方向通路４０２と横方向通路４０４との継ぎ目４１５の箇所に、奥方向通路４０２から横方向通路４０４に下る段差部４１６を備えているので、奥方向通路４０２を通った遊技球Ｂは、この段差部４１６で一旦スピードを落とし、横方向通路４０４でその進路が横方向に曲げられることによってもスピードが落とされて通過検出スイッチ４０６で検出されるので、遊技盤３０の盤面を勢いよく落下してきた遊技球Ｂがそのままの勢いで通過検出スイッチ４０６を通過することを低減でき、球流れを安定させることができる。
【０１５５】
また、奥方向通路４０２は、その終端が遊技盤３０の裏面とほぼ一致し、横方向通路４０４は、その入力口４０８が奥方向通路４０２の終端に連通されて、入力口４０８に入球された遊技球Ｂの進路方向を遊技盤３０の裏面と略平行となるように曲げる曲げ通路４１０と、この曲げ通路４１０の出力側に通過検出スイッチ４０６を取り付ける取付部４１２とからなるものとしている。つまり、始動入賞装置３３の入球口４００に入球した遊技球Ｂは、奥方向通路４０２を通ることで遊技盤３０の裏面側位置まで案内され、そして曲げ通路４１０によりその遊技球Ｂの進路が遊技盤３０の裏面と略平行となるように曲げられ、曲げ部の出力側で通過検出スイッチ４０６で遊技球Ｂの通過検出がされて遊技盤３０の裏面に沿うように排出される。したがって、始動入賞装置３３に入球した遊技球Ｂを最短距離で遊技盤３０の裏面に沿うように排出できるのみならず、奥方向通路４０２の終端に比較的に近い位置で遊技球通過検出しているにもかかわらず通過検出精度を向上させることができる。つまり、曲げ通路４１０での遊技球Ｂの進路を曲げ変更することで遊技球Ｂのスピードを落とすことができ、通過検出精度を向上させることができる。
【０１５６】
また、奥方向通路４０２は、その通路幅を遊技球Ｂの直径よりも僅かに大きいものとすることで、遊技球Ｂが一列に進むような通路形状としており、曲げ通路４１０は、その曲げ方向に向く側面から当該曲げ通路４１０の奥面にわたって、平面視で逆円弧状に突出した逆円弧状突出部４１４を備えているので、奥方向通路４０２を通ってきた遊技球Ｂが曲げ通路４１０の逆円弧状突出部４１４のその逆円弧形状に接触しながら曲げ方向に変更でき、遊技球Ｂはこの逆円弧状突出部４１４に摺接しながら進路変更されることから、スムーズに進路変更できる。
【０１５７】
また、始動入賞装置３３は、入球口４００の大きさが第１の大きさとなる第１状態と、入球口４００の大きさが第１の大きさよりも大きい第２の大きさとなる第２状態とに変動する開閉羽根４１８と、当該始動入賞装置３３の裏面側に設けられた、開閉羽根４１８を開閉駆動する作動口ソレノイド４２０とを備え、さらに、始動入賞装置３３は、その裏面視した状態において、取付部４１２が作動口ソレノイド４２０および奥方向通路４０２から横方向にずれた位置で、かつ、取付部４１２の一部が作動口ソレノイド４２０の一部に高さ方向に被る位置に配設されているので、開閉羽根４１８付きの始動入賞装置３３における裏面側構成部分の高さを抑えることができる。
【０１５８】
また、始動入賞装置３３は、さらに、入球口４００の上方位置に当該入球口４００とは別の上部入球口４３０と、この上部入球口４３０に入球した遊技球Ｂを奥方向に案内する、奥方向通路４０２とは別の上部奥方向通路４３２と、この上部奥方向通路４３２に連通し、横方向通路４０４とは反対の横方向に遊技球Ｂを案内して遊技盤３０の裏面に沿うように排出する上部横方向通路４３４と、を備えているので、始動入賞装置３３の各排出通路（奥方向通路４０２と横方向通路４０４とからなる第１排出通路と、上部奥方向通路４３２と上部横方向通路４３４とからなる第２排出通路）を複雑に折り曲げて構成する必要がなく、独立した二系統の入賞構成をコンパクトに纏めた構成とすることができる。また、始動入賞装置３３は、その二系統の入賞構成のうちの上部の排出通路を上部奥方向通路４３２と上部横方向通路４３４とで構成しており、下方向通路を備えていないので、その下方向通路を用いない分だけ縦方向の大きさを小さくできる。
【０１５９】
また、遊技盤３０は、その裏面側に、当該遊技盤３０の裏面側に供給された遊技球Ｂを集めて排出する溝状の排出樋が形成された集合板４４０を備え、排出樋は、始動入賞装置３３の横方向通路４０４から排出される遊技球Ｂを受ける第１溝通路４４２と、始動入賞装置３３の上部横方向通路４３４から排出される遊技球Ｂを受ける第２溝通路４４４とを備えているので、集合板４４０の遊技盤３０と対向する側、つまり、集合板４４０の片側に、溝状の排出樋（溝状の第１溝通路４４２や溝状の第２溝通路４４４を含む）を形成しておけばよく、集合板４４０の成型が簡単なもので済む。
【０１６０】
また、集合板４４０は、上部横方向通路４３４の排出口４５０に対応する箇所に、上部横方向通路４３４を通過してきた遊技球Ｂの通過を検出する、上部側の第１の始動口３３ａのための通過検出スイッチ４５２を備えているので、始動入賞装置３３は、その二系統の入賞構成のうちの上部の排出通路を上部奥方向通路４３２と上部横方向通路４３４とで構成しており、下方向通路を備えていないので、その下方向通路を用いない分だけ縦方向の大きさを小さくできる。また、集合板４４０は、始動入賞装置３３の上部横方向通路４３４の排出口４５０に対応する箇所に通過検出スイッチ４５２を備えており、下方向通路に通過検出スイッチ４５２を設けることはしないので、下方向通路に通過検出スイッチ４５２を設けることによる縦方向の大きさが大きくなるという問題も生じない。したがって、始動入賞装置３３の二系統の排出通路（奥方向通路４０２と横方向通路４０４とからなる第１排出通路と、上部奥方向通路４３２と上部横方向通路４３４とからなる第２排出通路）の距離を縮めることができ、二系統の入賞構成を有する始動入賞装置３３を具備する遊技盤であっても、可変表示装置（可変表示装置ユニット３５）の大型化の要請にも対応できる。
【０１６１】
さらに、上部奥方向通路４３２よりも後方の上部横方向通路４３４の排出口４５０に対応する集合板４４０の箇所に、上部側の第１の始動口３３ａのための通過検出スイッチ４５２を備えているので、上部側の第１の始動口３３ａのための通過検出スイッチ４５２を上部奥方向通路４３２に備える場合と比べて、この通過検出スイッチ４５２の位置を遊技盤３０の盤面から離すことができ、不正をし難くできる。また、始動入賞装置３３の上部入球口４３０に入球した遊技球Ｂは、上部奥方向通路４３２を通過した後に上部横方向通路４３４に案内され、この上部横方向通路４３４の排出口４５０から出た直後の位置（排出口４５０に対応する集合板４４０の箇所）で通過検出スイッチ４５２による通過検出されるので、通過検出スイッチ４５２の位置を遊技盤３０の盤面から離すことができ、遊技盤３０の盤面を勢いよく落下してきた遊技球Ｂがそのままの勢いで通過検出スイッチ４５２を通過したり、あるいは、がたついて通過検出スイッチ４５２を通過したりする等を低減でき、遊技球Ｂが安定している状態（落ち着いた状態）で検出することができる。つまり、遊技球Ｂの通過検出漏れや二度検出等のおそれを低減でき、遊技球通過検出精度を向上させることができる。
【０１６２】
また、始動入賞装置３３は、上部横方向通路４３４の排出口４５０に対応する集合板４４０の箇所に通過検出スイッチ４５２を備えており、従来のように奥方向通路の終端の方に備える訳ではないので、始動入賞装置３３の上部奥方向通路４３２が通過検出スイッチ４５２の厚み分さらに遊技盤３０の裏面側に突出するという従来の問題も生じないし、上部横方向通路４３４は遊技盤３０の裏面に沿うように遊技球Ｂを排出するので、始動入賞装置３３の上部の排出通路（上部奥方向通路４３２と上部横方向通路４３４とからなる通路）を複雑に曲げる必要がないし、始動入賞装置３３の外部に遊技球Ｂを排出する際に遊技盤３０の裏面に沿った位置に遊技球Ｂを誘導することができる。
【０１６３】
その結果、高さ方向のスペースを低減でき、かつ、遊技球通過検出精度を向上させることができ、さらに、排出通路を複雑に曲げる必要のない、二系統の入賞構成を有する始動入賞装置３３を具備する遊技機を提供することができる。
【０１６４】
また、始動入賞装置２２は、入球口４００の大きさが第１の大きさとなる第１状態（閉状態）と、入球口４００の大きさが第１の大きさよりも大きい第２の大きさとなる第２状態（開状態）とに変動する開閉羽根４１８と、当該始動入賞装置３３の裏面側に設けられた、開閉羽根４１８を開閉駆動する作動口ソレノイド４２０とを備え、始動入賞装置３３は、当該始動入賞装置３３を裏面視した状態での縦線上に、上部奥方向通路４３２と作動口ソレノイド４２０と奥方向通路４０２とを並べて配設したものであり、さらに、始動入賞装置３３は、その裏面視した状態において、取付部４１２が作動口ソレノイド４２０および奥方向通路４０２から横方向にずれた位置で、かつ、取付部４１２の一部が作動口ソレノイド４２０の一部に高さ方向に被る位置に配設されているので、開閉羽根４１８付きでかつ二系統の入賞構成を有する始動入賞装置３３における裏面側構成部分の高さを抑えることができる。
【０１６５】
また、上部奥方向通路４３２は、その終端が遊技盤３０の裏面とほぼ一致し、上部横方向通路４３４は、その入力口が上部奥方向通路４３２の終端に連通されて、入力口に入球された遊技球Ｂの進路方向を遊技盤３０の裏面と略平行となるように曲げ、かつ、曲げ通路４１０とは反対方向に排出する上部曲げ通路４３６としている。つまり、始動入賞装置３３の上部入球口４３０に入球した遊技球Ｂは、上部奥方向通路４３２を通ることで遊技盤３０の裏面側位置まで案内され、そして上部曲げ通路４３６によりその遊技球Ｂの進路が遊技盤３０の裏面と略平行となるように曲げ、かつ、下部の曲げ通路４１０とは反対方向に排出する。したがって、始動入賞装置３３に入球した遊技球Ｂを最短距離で遊技盤の裏面に沿うように排出できる。また、集合板４４０における、上部横方向通路４３４（つまり第２曲げ通路）の排出口４５０に対応する箇所に通過検出スイッチ４５２を設ける場合、つまり、上部奥方向通路４３２の終端に比較的に近い位置で遊技球通過検出しているにもかかわらず通過検出精度を向上させることができる。つまり、第２曲げ通路での遊技球Ｂの進路を曲げ変更することで遊技球Ｂのスピードを落とすことができ、通過検出精度を向上させることができる。
【０１６６】
また、上部奥方向通路４３２は、その通路幅を遊技球Ｂの直径よりも僅かに大きいものとすることで、遊技球Ｂが一列に進むような通路形状としており、上部曲げ通路４３６は、その曲げ方向に向く側面に、当該曲げ方向に遊技球Ｂの進路変更するための突出部４５４を備えているので、上部奥方向通路４３２を通ってきた遊技球Ｂが上部曲げ通路４３６の突出部４５４に接触したり、当たったりすることで、遊技球Ｂの進路方向を上部曲げ通路４３６の曲げ方向に変更できる。
【０１６７】
また、突出部４５４は、上部奥方向通路４３２の通路方向から見た状態において、その突出先端と突出部４５４から遠い方の上部奥方向通路４３２の側面との距離が遊技球Ｂの直径よりも僅かに小さくなるように突出させたものとしているので、上部奥方向通路４３２を進んできた遊技球Ｂの殆どは突出部４５４に接触等させることができ、当該接触等により遊技球Ｂの進路方向を曲げ方向に変更することができる。また、突出部４５４の僅かの突出量で遊技球Ｂの進路を変更できる。
【０１６８】
また、上部曲げ通路４３６は、その流下方向に下る段差部４３８を備えているので、上部奥方向通路４３２を通った遊技球Ｂは、上部曲げ通路４３６で進路方向が曲げられるのみならず、この上部曲げ通路４３６の段差部４３８で一旦スピードを落とし、上部曲げ通路４３６でその進路が横方向に曲げられることによってもスピードが落とされて、集合板４４０における上部曲げ通路４３６の排出口４５０に対応する箇所に配設された通過検出スイッチ４５２で検出されるので、遊技盤３０の盤面を勢いよく落下してきた遊技球Ｂがそのままの勢いで通過検出スイッチ４５２を通過することを低減でき、球流れを安定させることができる。
【０１６９】
この発明は、上記実施形態に限られることはなく、下記のように変形実施することができる。
【０１７０】
（１）上述した実施例では、始動入賞装置３３は、上部側の第１の始動口３３ａと下部側の第１の始動口３３ｂとを備えた二系統の入賞構成を有するものとしているが、上部側の第１の始動口３３ａまたは下部側の第１の始動口３３ｂの一方のみを備えた一系統の入賞構成のものとしてもよい。
【０１７１】
（２）上述した実施例では、下部側の第１の始動口３３ｂの奥方向通路４０２は、その終端が遊技盤３０の裏面とほぼ一致したものを採用しているが、その終端が遊技盤３０の裏面と一致したものを採用してもよい。
【０１７２】
（３）上述した実施例では、上部側の第１の始動口３３ａの上部奥方向通路４３２は、その終端が遊技盤３０の裏面とほぼ一致したものを採用しているが、その終端が遊技盤３０の裏面と一致したものを採用してもよい。
【０１７３】
（３）上述した実施例では、下部側の第１の始動口３３ｂの曲げ通路４１０は、入力口４０８（図１４参照）に入球された遊技球Ｂの進路方向を遊技盤３０の裏面と略平行となるように曲げるものとしているが、遊技盤３０の裏面と平行となるように曲げるものとしてもよい。
【０１７４】
（４）上述した実施例では、上部側の第１の始動口３３ａの上部曲げ通路４３６は、入力口に入球された遊技球Ｂの進路方向を遊技盤３０の裏面と略平行となるように曲げるものとしているが、遊技盤３０の裏面と平行となるように曲げるものとしてもよい。
【０１７５】
（５）上述した実施例では、図１０に示すように、始動入賞装置３３は、その裏面視した状態において、通過検出スイッチ４０６が取付部４１２および奥方向通路４０２から横方向にずれた位置で、かつ、取付部４１２の一部が作動口ソレノイド４２０の一部に高さ方向に被る位置に配設されているが、始動入賞装置３３は、その裏面視した状態において、通過検出スイッチ４０６が作動口ソレノイド４２０および奥方向通路４０２から横方向にずれた位置で、かつ、通過検出スイッチ４０６の一部が作動口ソレノイド４２０の一部に高さ方向に被る位置に配設されるようにしてもよい。
【０１７６】
（６）本発明を各種（例えば第一種、第三種など）の遊技機に実施してもよいし、上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１７７】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【産業上の利用可能性】
【０１７８】
以上のように、この発明は、パチンコ機等の遊技機に適している。
【図面の簡単な説明】
【０１７９】
【図１】本発明の実施例のパチンコ機の概略正面図である。
【図２】遊技盤の構成を示す正面図である。
【図３】パチンコ機の構成を示す背面図である。
【図４】パチンコ機の電気的構成を示すブロック図である。
【図５】第３図柄表示装置の表示内容を示す説明図である。
【図６】実施例の始動入賞装置を左斜め上から見た左斜視図である。
【図７】実施例の始動入賞装置を右斜め上から見た右斜視図である。
【図８】（ａ）〜（ｃ）は、それぞれ始動入賞装置の左側面図、平面図、正面図である。
【図９】（ａ）〜（ｃ）は、それぞれ始動入賞装置の正面図、底面図、右側面図である。
【図１０】実施例の始動入賞装置の裏面図である。
【図１１】実施例の始動入賞装置における横方向通路の位置関係を示す説明図である。
【図１２】（ａ）は開閉羽根が閉じた状態の始動入賞装置の右斜視図、（ｂ）は開閉羽根が閉じた状態の始動入賞装置の正面図である。
【図１３】（ａ）は開閉羽根が開いた状態の始動入賞装置の右斜視図、（ｂ）は開閉羽根が開いた状態の始動入賞装置の正面図である。
【図１４】実施例の始動入賞装置の分解斜視図である。
【図１５】実施例の始動入賞装置の内部構造を示す一部破断斜視図である。
【図１６】実施例の始動入賞装置の下部側の第１の始動口を進む遊技球を説明するための一部破断斜視図である。
【図１７】遊技盤および集合板の始動入賞装置の箇所を横断面して見下ろした状態の横断面図である。
【図１８】遊技盤および集合板の始動入賞装置の箇所を縦断面して左側から見た縦断面図である。
【符号の説明】
【０１８０】
３０  …遊技盤
３３  …始動入賞装置
４００  …入球口
４０２  …奥方向通路
４０４  …横方向通路
４０６  …通過検出スイッチ（遊技球通過検出手段）
４０８  …入力口
４１０  …曲げ通路
４１２  …取付部
４１４  …逆円弧状突出部
４１５  …継ぎ目
４１６  …段差部
４１８  …開閉羽根
４２０  …作動口ソレノイド（駆動手段）
４３０  …上部入球口
４３２  …上部奥方向通路
４３４  …上部横方向通路
４４０  …集合板
４４２  …第１溝通路
４４４  …第２溝通路
４５０  …排出口
４５２  …通過検出スイッチ（第２遊技球通過検出手段）
４５４  …突出部
【図１】
2007167299.tif 000003
【図２】
2007167299.tif 000004
【図３】
2007167299.tif 000005
【図４】
2007167299.tif 000006
【図５】
2007167299.tif 000007
【図６】
2007167299.tif 000008
【図７】
2007167299.tif 000009
【図８】
2007167299.tif 000010
【図９】
2007167299.tif 000011
【図１０】
2007167299.tif 000012
【図１１】
2007167299.tif 000013
【図１２】
2007167299.tif 000014
【図１３】
2007167299.tif 000015
【図１４】
2007167299.tif 000016
【図１５】
2007167299.tif 000017
【図１６】
2007167299.tif 000018
【図１７】
2007167299.tif 000019
【図１８】
2007167299.tif 000020